(57)【特許請求の範囲】
【請求項１】
仮想化ネットワーク機能（VNF）処理方針を決定する方法であって、
管理ノードにより、要素マネージャ（EM）によって送信された構成フィードバックメッセージを受信するステップであって、前記構成フィードバックメッセージは、VNFのアプリケーションパラメータが正常に構成されたかどうかを示すために使用される、ステップと、
前記管理ノードにより、前記構成フィードバックメッセージに従って前記VNFの処理方針を決定するステップであって、前記処理方針は、前記管理ノードによって前記VNFを処理するために使用される、ステップと
を含む方法。
【請求項２】
前記管理ノードは、ネットワークマネージャ（NM）であり、
前記構成フィードバックメッセージが、前記VNFの前記アプリケーションパラメータが正常に構成されていることを示す場合には、前記処理方針は、前記NMがネットワーク機能仮想化オーケストレータ（NFVO）に前記VNFを使用してネットワークサービス（NS）を構成するように命令することであり、または、
前記構成フィードバックメッセージが、前記VNFの前記アプリケーションパラメータを構成することに失敗したことを示す場合には、前記処理方針は、前記NMが前記NFVOに前記VNFによって占有されているリソースを解放するように命令することである、請求項1に記載の方法。
【請求項３】
前記管理ノードにより、EMによって送信された構成フィードバックメッセージを受信する前記ステップの前に、前記方法は、
前記NMにより、検索メッセージを前記EMに送信するステップであって、前記検索メッセージは、前記VNFの識別子を含み、前記検索メッセージは、前記VNFの前記識別子に対応する前記構成フィードバックメッセージを検索するように前記EMに命令するために使用される、ステップ
をさらに含む、請求項2に記載の方法。
【請求項４】
前記管理ノードにより、EMによって送信された構成フィードバックメッセージを受信する前記ステップの前に、前記方法は、
前記NMにより、VNFアプリケーションパラメータ構成通知メッセージを前記EMに送信するステップであって、前記VNFアプリケーションパラメータ構成通知メッセージは、前記VNFの前記アプリケーションパラメータを構成するように前記EMに命令するために使用される、ステップ
をさらに含む、請求項2に記載の方法。
【請求項５】
前記管理ノードにより、EMによって送信された構成フィードバックメッセージを受信する前記ステップの前に、前記方法は、
前記NMにより、VNFインスタンス化完了メッセージを前記EMに送信するステップであって、前記VNFインスタンス化完了メッセージは、前記VNFのインスタンス化が完了したことを示すために使用される、ステップ
をさらに含む、請求項2に記載の方法。
【請求項６】
前記管理ノードは、仮想化ネットワーク機能マネージャ（VNFM）であり、
前記構成フィードバックメッセージが、前記VNFの前記アプリケーションパラメータが正常に構成されていることを示す場合には、前記処理方針は、前記VNFMがNFVOを使用してVNFインスタンス化完了メッセージをNMに送信することであり、前記NMは、前記VNFインスタンス化完了メッセージに従って、前記VNFを使用してNSを構成するように前記NFVOに命令し、または、
前記構成フィードバックメッセージが、前記VNFの前記アプリケーションパラメータを構成することに失敗したことを示す場合には、前記処理方針は、前記VNFMが前記NFVOに前記VNFによって占有されているリソースを解放するように命令することである、請求項1に記載の方法。
【請求項７】
仮想化ネットワーク機能（VNF）処理方針を決定する方法であって、
要素マネージャ（EM）により、アプリケーションパラメータ構成メッセージをVNFに送信するステップであって、前記アプリケーションパラメータ構成メッセージは、前記VNFのアプリケーションパラメータを構成するように前記VNFに命令するために使用される、ステップと、
前記EMにより、前記VNFによって送信された構成フィードバックメッセージを受信するステップであって、前記構成フィードバックメッセージは、前記VNFの前記アプリケーションパラメータが正常に構成されたかどうかを示すために使用される、ステップと、
前記EMにより、前記構成フィードバックメッセージを管理ノードに送信するステップであって、前記構成フィードバックメッセージは、前記管理ノードによって前記VNFの処理方針を決定するために使用され、前記処理方針は、前記管理ノードによって前記VNFを処理するために使用される、ステップと
を含む方法。
【請求項８】
前記管理ノードは、ネットワークマネージャ（NM）であり、
前記EMにより、前記構成フィードバックメッセージを管理ノードに送信する前記ステップの前に、前記方法は、
前記EMにより、前記NMによって送信された検索メッセージを受信するステップであって、前記検索メッセージは、前記VNFの識別子を含み、前記検索メッセージは、前記VNFの前記識別子に対応する前記構成フィードバックメッセージを検索するように前記EMに命令するために使用される、ステップと、
前記EMにより、前記VNFの前記識別子に従って、前記EMによって保存された複数の構成フィードバックメッセージから前記VNFの前記識別子に対応する前記構成フィードバックメッセージを検索するステップと
をさらに含む、請求項7に記載の方法。
【請求項９】
前記管理ノードは、NMであり、
EMにより、アプリケーションパラメータ構成メッセージをVNFに送信する前記ステップの前に、前記方法は、
前記EMにより、前記NMによって送信されたVNFアプリケーションパラメータ構成通知メッセージを受信するステップであって、前記VNFアプリケーションパラメータ構成通知メッセージは、前記VNFの前記アプリケーションパラメータを構成するように前記EMに命令するために使用される、ステップ
をさらに含み、
前記EMにより、前記構成フィードバックメッセージを管理ノードに送信する前記ステップは、
前記EMにより、前記構成フィードバックメッセージを前記NMに送信するステップ
を含む、請求項7に記載の方法。
【請求項１０】
前記管理ノードは、NMであり、
EMにより、アプリケーションパラメータ構成メッセージをVNFに送信する前記ステップの前に、前記方法は、
前記EMにより、前記NMまたは仮想化ネットワーク機能マネージャVNFMによって送信されたVNFインスタンス化完了メッセージを受信するステップであって、前記VNFインスタンス化完了メッセージは、前記VNFのインスタンス化が完了したことを示すために使用される、ステップ
をさらに含み、
前記EMにより、前記構成フィードバックメッセージを管理ノードに送信する前記ステップは、
前記EMにより、前記構成フィードバックメッセージを前記NMに送信するステップ
を含む、請求項7に記載の方法。
【請求項１１】
前記管理ノードは、VNFMであり、
EMにより、アプリケーションパラメータ構成メッセージをVNFに送信する前記ステップの前に、前記方法は、
前記EMにより、前記VNFMによって送信されたVNFインスタンス化完了メッセージを受信するステップであって、前記VNFインスタンス化完了メッセージは、前記VNFのインスタンス化が完了したことを示すために使用される、ステップ
をさらに含み、
前記EMにより、前記構成フィードバックメッセージを管理ノードに送信する前記ステップは、
前記EMにより、前記構成フィードバックメッセージを前記VNFMに送信するステップ
を含む、請求項7に記載の方法。
【請求項１２】
仮想化ネットワーク機能（VNF）処理方針を決定する方法であって、
VNFにより、要素マネージャ（EM）によって送信されたアプリケーションパラメータ構成メッセージを受信するステップであって、前記アプリケーションパラメータ構成メッセージは、前記VNFのアプリケーションパラメータを構成するように前記VNFに命令するために使用される、ステップと、
前記VNFにより、前記VNFによって前記アプリケーションパラメータを構成した結果に従って構成フィードバックメッセージを生成するステップであって、前記構成フィードバックメッセージは、前記VNFの前記アプリケーションパラメータが正常に構成されたかどうかを示すために使用される、ステップと、
前記VNFにより、前記構成フィードバックメッセージを前記EMに送信するステップであって、前記EMは、前記構成フィードバックメッセージを管理ノードに送信し、前記構成フィードバックメッセージは、前記管理ノードによって前記VNFの処理方針を決定するために使用され、前記処理方針は、前記管理ノードによって前記VNFを処理するために使用される、ステップと
を含む、方法。
【請求項１３】
前記構成フィードバックメッセージは、前記VNFの識別子を含み、前記VNFの前記識別子は、前記EM、前記管理ノード、またはネットワーク機能仮想化オーケストレータ（NFVO）によって前記VNFに割り当てられる、請求項12に記載の方法。
【請求項１４】
管理ノードであって、
要素マネージャ（EM）によって送信された構成フィードバックメッセージを受信するように構成された受信部であって、前記構成フィードバックメッセージは、仮想化ネットワーク機能（VNF）のアプリケーションパラメータが正常に構成されたかどうかを示すために使用される、受信部と、
前記受信部によって受信された前記構成フィードバックメッセージに従って前記VNFの処理方針を決定するように構成された処理部であって、前記処理方針は、前記VNFを処理するために前記処理部によって使用される、処理部と
を含む管理ノード。
【請求項１５】
前記管理ノードは、ネットワークマネージャ（NM）であり、
前記受信部によって受信された前記構成フィードバックメッセージが、前記VNFの前記アプリケーションパラメータが正常に構成されたことを示す場合には、前記処理部によって決定された前記処理方針は、前記処理部がネットワーク機能仮想化オーケストレータ（NFVO）に前記VNFを使用してネットワークサービス（NS）を構成するように命令することであり、または、
前記受信部によって受信された前記構成フィードバックメッセージが、前記VNFの前記アプリケーションパラメータを構成することに失敗したことを示す場合には、前記処理部によって決定される前記処理方針は、前記処理部が前記NFVOに前記VNFによって占有されているリソースを解放するように命令することである、請求項14に記載の管理ノード。
【請求項１６】
前記NMは、送信部をさらに含み、
前記送信部は、前記受信部が前記EMによって送信された前記構成フィードバックメッセージを受信する前に、前記EMに検索メッセージを送信するように構成され、前記検索メッセージは、前記VNFの識別子を含み、前記検索メッセージは、前記VNFの前記識別子に対応する前記構成フィードバックメッセージを検索するように前記EMに命令するために使用される、請求項15に記載の管理ノード。
【請求項１７】
前記NMは、送信部をさらに含み、
前記送信部は、前記受信部が前記EMによって送信された前記構成フィードバックメッセージを受信する前に、VNFアプリケーションパラメータ構成通知メッセージを前記EMに送信するように構成され、前記VNFアプリケーションパラメータ構成通知メッセージは、前記VNFの前記アプリケーションパラメータを構成するように前記EMに命令するために使用される、請求項15に記載の管理ノード。
【請求項１８】
前記NMは、送信部をさらに含み、
前記送信部は、前記受信部が前記EMによって送信された前記構成フィードバックメッセージを受信する前に、VNFインスタンス化完了メッセージを前記EMに送信するように構成され、前記VNFインスタンス化完了メッセージは、前記VNFのインスタンス化が完了したことを示すために使用される、請求項15に記載の管理ノード。
【請求項１９】
前記管理ノードは、仮想化ネットワーク機能マネージャ（VNFM）であり、
前記受信部によって受信された前記構成フィードバックメッセージが、前記VNFの前記アプリケーションパラメータが正常に構成されていることを示す場合には、前記処理部によって決定される前記処理方針は、前記処理部がNFVOを使用してVNFインスタンス化完了メッセージをNMに送信することであり、前記NMは、前記VNFインスタンス化完了メッセージに従って、前記VNFを使用してNSを構成するように前記NFVOに命令し、または、
前記受信部によって受信された前記構成フィードバックメッセージが、前記VNFの前記アプリケーションパラメータを構成することに失敗したことを示す場合には、前記処理部によって決定される前記処理方針は、前記処理部が前記NFVOに前記VNFによって占有されているリソースを解放するように命令することである、請求項14に記載の管理ノード。
【請求項２０】
要素マネージャ（EM）であって、
アプリケーションパラメータ構成メッセージを仮想化ネットワーク機能（VNF）に送信するように構成された送信部であって、前記アプリケーションパラメータ構成メッセージは、前記VNFのアプリケーションパラメータを構成するように前記VNFに命令するために使用される、送信部と、
前記VNFによって送信された構成フィードバックメッセージを受信するように構成された受信部であって、前記構成フィードバックメッセージは、前記VNFの前記アプリケーションパラメータが正常に構成されたかどうかを示すために使用される、受信部と
を含み、
前記送信部は、前記受信部によって受信された前記構成フィードバックメッセージを管理ノードに送信するようにさらに構成され、前記構成フィードバックメッセージは、前記管理ノードによって前記VNFの処理方針を決定するために使用され、前記処理方針は、前記管理ノードによって前記VNFを処理するために使用される、EM。
【請求項２１】
前記管理ノードは、ネットワークマネージャ（NM）であり、前記EMは検索部をさらに含み、
前記受信部は、前記送信部が前記構成フィードバックメッセージを前記管理ノードに送信する前に、前記NMによって送信された検索メッセージを受信するようにさらに構成され、前記検索メッセージは、前記VNFの識別子を含み、前記検索メッセージは、前記VNFの前記識別子に対応する前記構成フィードバックメッセージを検索するように前記検索部に命令するために使用され、
前記検索部は、前記VNFの前記識別子に従って、複数の保存された構成フィードバックメッセージから前記VNFの前記識別子に対応する前記構成フィードバックメッセージを検索するように構成される、請求項20に記載のEM。
【請求項２２】
前記管理ノードは、NMであり、
前記受信部は、前記送信部が前記アプリケーションパラメータ構成メッセージを前記VNFに送信する前に、前記NMによって送信されたVNFアプリケーションパラメータ構成通知メッセージを受信するようにさらに構成され、前記VNFアプリケーションパラメータ構成通知メッセージは、前記VNFの前記アプリケーションパラメータを構成するように前記EMに命令するために使用され、
前記送信部は、前記構成フィードバックメッセージを前記NMに送信するように構成される、請求項20に記載のEM。
【請求項２３】
前記管理ノードは、NMであり、
前記受信部は、前記送信部が前記アプリケーションパラメータ構成メッセージを前記VNFに送信する前に、前記NMまたは仮想化ネットワーク機能マネージャ（VNFM）によって送信されたVNFインスタンス化完了メッセージを受信するようにさらに構成され、前記VNFインスタンス化完了メッセージは、前記VNFのインスタンス化が完了したことを示すために使用され、
前記送信部は、前記構成フィードバックメッセージを前記NMに送信するように構成される、請求項20に記載のEM。
【請求項２４】
前記管理ノードは、VNFMであり、
前記受信部は、前記送信部が前記アプリケーションパラメータ構成メッセージを前記VNFに送信する前に、前記VNFMによって送信されたVNFインスタンス化完了メッセージを受信するようにさらに構成され、前記VNFインスタンス化完了メッセージは、前記VNFのインスタンス化が完了したことを示すために使用され、
前記送信部は、前記構成フィードバックメッセージを前記VNFMに送信するように構成される、請求項20に記載のEM。
【請求項２５】
仮想化ネットワーク機能（VNF）であって、
要素マネージャ（EM）によって送信されたアプリケーションパラメータ構成メッセージを受信するように構成された受信部であって、前記アプリケーションパラメータ構成メッセージは、前記VNFのアプリケーションパラメータを構成するように前記VNFに命令するために使用される、受信部と、
前記VNFによって前記アプリケーションパラメータを構成した結果に従って構成フィードバックメッセージを生成するように構成された生成部であって、前記構成フィードバックメッセージは、前記VNFの前記アプリケーションパラメータが正常に構成されたかどうかを示すために使用される、生成部と、
前記生成部によって生成された前記構成フィードバックメッセージを前記EMに送信するように構成された送信部であって、前記EMは、前記構成フィードバックメッセージを管理ノードに送信し、前記構成フィードバックメッセージは、前記管理ノードによって前記VNFの処理方針を決定するために使用され、前記処理方針は、前記管理ノードによって前記VNFを処理するために使用される、送信部と
を含むVNF。
【請求項２６】
前記生成部によって生成された前記構成フィードバックメッセージは、前記VNFの識別子を含み、前記VNFの前記識別子は、前記EM、前記管理ノード、またはネットワーク機能仮想化オーケストレータ（NFVO）によって前記VNFに割り当てられる、請求項25に記載のVNF。
【請求項２７】
請求項14から19のいずれか一項に記載の管理ノードと、
請求項20から24のいずれか一項に記載の要素マネージャ（EM）と、
請求項25または26に記載の仮想化ネットワーク機能（VNF）と
を含む通信システム。
【請求項２８】
プログラムを記録したコンピュータ読み取り可能な記録媒体であって、
前記プログラムは、請求項1から6のいずれか一項に記載の方法をコンピュータに実行させる命令を含む、コンピュータ読み取り可能な記録媒体。
【請求項２９】
プログラムを記録したコンピュータ読み取り可能な記録媒体であって、
前記プログラムは、請求項7から11のいずれか一項に記載の方法をコンピュータに実行させる命令を含む、コンピュータ読み取り可能な記録媒体。
【請求項３０】
プログラムを記録したコンピュータ読み取り可能な記録媒体であって、
前記プログラムは、請求項12または13に記載の方法をコンピュータに実行させる命令を含む、コンピュータ読み取り可能な記録媒体。
【請求項３１】
メモリおよびプロセッサを備えた装置であって、
前記メモリは、前記プロセッサによって実行される命令を含むプログラムを格納するように構成され、
前記命令は、請求項1から6のいずれか一項に記載の方法を前記プロセッサに実行させる、装置。
【請求項３２】
メモリおよびプロセッサを備えた装置であって、
前記メモリは、前記プロセッサによって実行される命令を含むプログラムを格納するように構成され、
前記命令は、請求項7から11のいずれか一項に記載の方法を前記プロセッサに実行させる、装置。
【請求項３３】
メモリおよびプロセッサを備えた装置であって、
前記メモリは、前記プロセッサによって実行される命令を含むプログラムを格納するように構成され、
前記命令は、請求項12または13に記載の方法を前記プロセッサに実行させる、装置。
【発明の詳細な説明】
【技術分野】
【０００１】
本発明は、通信技術の分野に関し、特に、VNF処理方針を決定する方法、装置、およびシステムに関する。
【背景技術】
【０００２】
仮想化技術の急速な発展に伴い、ネットワーク機能仮想化（英語：network function virtualization、略してNFV）技術が非常に重要になる。NFV技術は、VNFが汎用物理デバイス上で動作するように、仮想化ネットワーク機能（英語：virtualized network function、略してVNF）上でインスタンス化（英語：instantiate）が実行されることを意味し、ネットワーク内の専用ネットワーク要素デバイスは、汎用物理デバイスを用いて実現される。例えば、サービングゲートウェイ（英語：serving gateway、略してSGW）機能がインスタンス化されるので、SGW機能が汎用物理デバイス上で動作することができ、SGW機能は汎用物理デバイスを使用して実現される。
【０００３】
従来技術では、NFVを用いてVNFをインスタンス化（英語：instantiate）する手順は以下の通りである。仮想化ネットワーク機能マネージャ（英語：virtualized network function manager、VNFM）がVNFインスタンス化要求（英語：instantiate VNF）を受信した後に、VNFMは、インスタンス化されるVNFにリソースを割り当てるように、ネットワーク機能仮想化オーケストレータ（英語：network function virtualization orchestrator、略してNFVO）に命令し、VNFMはVNFの展開パラメータを構成して、VNFのインスタンス化を完了する。さらに、VNFMは要素マネージャ（英語：Element Manager、略してEM）にVNFのアプリケーションパラメータを構成するように命令して、VNFを実行できるようにする。VNFMは、VNFのインスタンス化が完了したことをネットワークマネージャ（英語：Network Manager、略してNM）に通知して、NMがVNFを用いて対応するネットワークサービス（英語：network service、略してNS）を構成する。
【０００４】
しかし、EMがVNFのアプリケーションパラメータを構成することに失敗することがあり、その結果、VNFが正常に動作できなくなる。したがって、上記の手順では、アプリケーションパラメータの構成に失敗した場合であっても、VNFのインスタンス化が完了したことをVNFMがNMに通知した後に、NMはVNFが正常に動作することができると依然としてみなして、VNFを使用して対応するNSを構成する。その結果、VNFによって構成されるNSは、正常に動作することができない。
【発明の概要】
【課題を解決するための手段】
【０００５】
本発明は、EMがVNFのアプリケーションパラメータを構成することができない場合に、VNFによって構成されたNSが正常に動作できないという問題を回避するための、VNF処理方針を決定する方法、装置、およびシステムを提供する。
【０００６】
上記目的を達成するために、本発明は以下の技術的解決策を用いる。
【０００７】
第1の態様によれば、本発明は、VNF処理方針を決定する方法を提供し、本方法は、
管理ノードにより、EMによって送信された構成フィードバックメッセージを受信するステップであって、構成フィードバックメッセージは、VNFのアプリケーションパラメータが正常に構成されたかどうかを示すために使用される、ステップと、
管理ノードにより、構成フィードバックメッセージに従ってVNFの処理方針を決定するステップであって、処理方針は、管理ノードによってVNFを処理するために使用される、ステップと
を含む。
【０００８】
第1の態様の第1の可能な実施では、管理ノードはNMであり、
構成フィードバックメッセージが、VNFのアプリケーションパラメータが正常に構成されていることを示す場合には、処理方針は、NMがNFVOにVNFを使用してNSを構成するように命令することであり、または、
構成フィードバックメッセージが、VNFのアプリケーションパラメータを構成することに失敗したことを示す場合には、処理方針は、NMがNFVOにVNFによって占有されているリソースを解放するように命令することである。
【０００９】
第1の態様の第1の可能な実施を参照して、第2の可能な実施では、管理ノードにより、EMによって送信された構成フィードバックメッセージを受信するステップの前に、本方法は、
NMにより、検索メッセージをEMに送信するステップであって、検索メッセージは、VNFの識別子を運び、検索メッセージは、VNFの識別子に対応する構成フィードバックメッセージを検索するようにEMに命令するために使用される、ステップ
をさらに含む。
【００１０】
第1の態様の第1の可能な実施を参照して、第3の可能な実施では、管理ノードにより、EMによって送信された構成フィードバックメッセージを受信するステップの前に、本方法は、
NMにより、VNFアプリケーションパラメータ構成通知メッセージをEMに送信するステップであって、VNFアプリケーションパラメータ構成通知メッセージは、VNFのアプリケーションパラメータを構成するようにEMに命令するために使用される、ステップ
をさらに含む。
【００１１】
第1の態様の第1の可能な実施を参照して、第4の可能な実施では、管理ノードにより、EMによって送信された構成フィードバックメッセージを受信するステップの前に、本方法は、
NMにより、VNFインスタンス化完了メッセージをEMに送信するステップであって、VNFインスタンス化完了メッセージは、VNFのインスタンス化が完了したことを示すために使用される、ステップ
をさらに含む。
【００１２】
第1の態様を参照して、第5の可能な実施では、管理ノードはVNFMであり、
構成フィードバックメッセージが、VNFのアプリケーションパラメータが正常に構成されていることを示す場合には、処理方針は、VNFMがNFVOを使用してVNFインスタンス化完了メッセージをNMに送信することであり、NMは、VNFインスタンス化完了メッセージに従って、VNFを使用してNSを構成するようにNFVOに命令し、または、
構成フィードバックメッセージが、VNFのアプリケーションパラメータを構成することに失敗したことを示す場合には、処理方針は、VNFMがNFVOにVNFによって占有されているリソースを解放するように命令することである。
【００１３】
第2の態様によれば、本発明は、VNF処理方針を決定する方法を提供し、本方法は、
EMにより、アプリケーションパラメータ構成メッセージをVNFに送信するステップであって、アプリケーションパラメータ構成メッセージは、VNFのアプリケーションパラメータを構成するようにVNFに命令するために使用される、ステップと、
EMにより、VNFによって送信された構成フィードバックメッセージを受信するステップであって、構成フィードバックメッセージは、VNFのアプリケーションパラメータが正常に構成されたかどうかを示すために使用される、ステップと、
EMにより、構成フィードバックメッセージを管理ノードに送信するステップであって、構成フィードバックメッセージは、管理ノードによってVNFの処理方針を決定するために使用され、処理方針は、管理ノードによってVNFを処理するために使用される、ステップと
を含む。
【００１４】
第2の態様の第1の可能な実施では、管理ノードはNMであり、
EMにより、構成フィードバックメッセージを管理ノードに送信するステップの前に、方法は、
EMにより、NMによって送信された検索メッセージを受信するステップであって、検索メッセージは、VNFの識別子を運び、検索メッセージは、VNFの識別子に対応する構成フィードバックメッセージを検索するようにEMに命令するために使用される、ステップと、
EMにより、VNFの識別子に従って、EMによって保存された複数の構成フィードバックメッセージからVNFの識別子に対応する構成フィードバックメッセージを検索するステップと
をさらに含む。
【００１５】
第2の態様を参照して、第2の可能な実施では、管理ノードはNMであり、
EMにより、アプリケーションパラメータ構成メッセージをVNFに送信するステップの前に、方法は、
EMにより、NMによって送信されたVNFアプリケーションパラメータ構成通知メッセージを受信するステップであって、VNFアプリケーションパラメータ構成通知メッセージは、VNFのアプリケーションパラメータを構成するようにEMに命令するために使用される、ステップ
をさらに含み、
EMにより、構成フィードバックメッセージを管理ノードに送信するステップは、
EMにより、構成フィードバックメッセージをNMに送信するステップ
を含む。
【００１６】
第2の態様を参照して、第3の可能な実施では、管理ノードはNMであり、
EMにより、アプリケーションパラメータ構成メッセージをVNFに送信するステップの前に、方法は、
EMにより、NMまたはVNFMによって送信されたVNFインスタンス化完了メッセージを受信するステップであって、VNFインスタンス化完了メッセージは、VNFのインスタンス化が完了したことを示すために使用される、ステップ
をさらに含み、
EMにより、構成フィードバックメッセージを管理ノードに送信するステップは、
EMにより、構成フィードバックメッセージをNMに送信するステップ
を含む。
【００１７】
第2の態様を参照して、第4の可能な実施では、管理ノードはVNFMであり、
EMにより、アプリケーションパラメータ構成メッセージをVNFに送信するステップの前に、方法は、
EMにより、VNFMによって送信されたVNFインスタンス化完了メッセージを受信するステップであって、VNFインスタンス化完了メッセージは、VNFのインスタンス化が完了したことを示すために使用される、ステップ
をさらに含み、
EMにより、構成フィードバックメッセージを管理ノードに送信するステップは、
EMにより、構成フィードバックメッセージをVNFMに送信するステップ
を含む。
【００１８】
第3の態様によれば、本発明は、VNF処理方針を決定する方法を提供し、本方法は、
VNFにより、EMによって送信されたアプリケーションパラメータ構成メッセージを受信するステップであって、アプリケーションパラメータ構成メッセージは、VNFのアプリケーションパラメータを構成するようにVNFに命令するために使用される、ステップと、
VNFにより、VNFによってアプリケーションパラメータを構成した結果に従って構成フィードバックメッセージを生成するステップであって、構成フィードバックメッセージは、VNFのアプリケーションパラメータが正常に構成されたかどうかを示すために使用される、ステップと、
VNFにより、構成フィードバックメッセージをEMに送信するステップであって、EMは、構成フィードバックメッセージを管理ノードに送信し、構成フィードバックメッセージは、管理ノードによってVNFの処理方針を決定するために使用され、処理方針は、管理ノードによってVNFを処理するために使用される、ステップと
を含む。
【００１９】
第3の態様の第1の可能な実施では、構成フィードバックメッセージは、VNFの識別子を運び、VNFの識別子は、EM、管理ノード、またはNFVOによってVNFに割り当てられる。
【００２０】
第4の態様によれば、本発明は、管理ノードを提供し、管理ノードは、
EMによって送信された構成フィードバックメッセージを受信するように構成された受信部であって、構成フィードバックメッセージは、VNFのアプリケーションパラメータが正常に構成されたかどうかを示すために使用される、受信部と、
受信部によって受信された構成フィードバックメッセージに従ってVNFの処理方針を決定するように構成された処理部であって、処理方針は、VNFを処理するために処理部によって使用される、処理部と
を含む。
【００２１】
第4の態様の第1の可能な実施では、管理ノードはNMであり、
受信部によって受信された構成フィードバックメッセージが、VNFのアプリケーションパラメータが正常に構成されたことを示す場合には、処理部によって決定された処理方針は、処理部がNFVOにVNFを使用してネットワークサービスNSを構成するように命令することであり、または、
受信部によって受信された構成フィードバックメッセージが、VNFのアプリケーションパラメータを構成することに失敗したことを示す場合には、処理部によって決定される処理方針は、処理部がNFVOにVNFによって占有されているリソースを解放するように命令することである。
【００２２】
第4の態様の第1の可能な実施を参照して、第2の可能な実施では、NMは、送信部をさらに含み、
送信部は、受信部がEMによって送信された構成フィードバックメッセージを受信する前に、EMに検索メッセージを送信するように構成され、検索メッセージは、VNFの識別子を運び、検索メッセージは、VNFの識別子に対応する構成フィードバックメッセージを検索するようにEMに命令するために使用される。
【００２３】
第4の態様の第1の可能な実施を参照して、第3の可能な実施では、NMは、送信部をさらに含み、
送信部は、受信部がEMによって送信された構成フィードバックメッセージを受信する前に、VNFアプリケーションパラメータ構成通知メッセージをEMに送信するように構成され、VNFアプリケーションパラメータ構成通知メッセージは、VNFのアプリケーションパラメータを構成するようにEMに命令するために使用される。
【００２４】
第4の態様の第1の可能な実施を参照して、第4の可能な実施では、NMは、送信部をさらに含み、
送信部は、受信部がEMによって送信された構成フィードバックメッセージを受信する前に、VNFインスタンス化完了メッセージをEMに送信するように構成され、VNFインスタンス化完了メッセージは、VNFのインスタンス化が完了したことを示すために使用される。
【００２５】
第4の態様を参照して、第5の可能な実施では、管理ノードはVNFMであり、
受信部によって受信された構成フィードバックメッセージが、VNFのアプリケーションパラメータが正常に構成されていることを示す場合には、処理部によって決定される処理方針は、処理部がNFVOを使用してVNFインスタンス化完了メッセージをNMに送信することであり、NMは、VNFインスタンス化完了メッセージに従って、VNFを使用してNSを構成するようにNFVOに命令し、または、
受信部によって受信された構成フィードバックメッセージが、VNFのアプリケーションパラメータを構成することに失敗したことを示す場合には、処理部によって決定される処理方針は、処理部がNFVOにVNFによって占有されているリソースを解放するように命令することである。
【００２６】
第5の態様によれば、本発明はEMを提供し、EMは、
アプリケーションパラメータ構成メッセージをVNFに送信するように構成された送信部であって、アプリケーションパラメータ構成メッセージは、VNFのアプリケーションパラメータを構成するようにVNFに命令するために使用される、送信部と、
VNFによって送信された構成フィードバックメッセージを受信するように構成された受信部であって、構成フィードバックメッセージは、VNFのアプリケーションパラメータが正常に構成されたかどうかを示すために使用される、受信部と
を含み、
送信部は、受信部によって受信された構成フィードバックメッセージを管理ノードに送信するようにさらに構成され、構成フィードバックメッセージは、管理ノードによってVNFの処理方針を決定するために使用され、処理方針は、管理ノードによってVNFを処理するために使用される。
【００２７】
第5の態様の第1の可能な実施では、管理ノードはNMであり、EMは検索部をさらに含み、
受信部は、送信部が構成フィードバックメッセージを管理ノードに送信する前に、NMによって送信された検索メッセージを受信するようにさらに構成され、検索メッセージは、VNFの識別子を運び、検索メッセージは、VNFの識別子に対応する構成フィードバックメッセージを検索するように検索部に命令するために使用され、
検索部は、VNFの識別子に従って、複数の保存された構成フィードバックメッセージからVNFの識別子に対応する構成フィードバックメッセージを検索するように構成される。
【００２８】
第5の態様を参照して、第2の可能な実施では、管理ノードはNMであり、
受信部は、送信部がアプリケーションパラメータ構成メッセージをVNFに送信する前に、NMによって送信されたVNFアプリケーションパラメータ構成通知メッセージを受信するようにさらに構成され、VNFアプリケーションパラメータ構成通知メッセージは、VNFのアプリケーションパラメータを構成するようにEMに命令するために使用され、
送信部は、構成フィードバックメッセージをNMに送信するように具体的に構成される。
【００２９】
第5の態様を参照して、第3の可能な実施では、管理ノードはNMであり、
受信部は、送信部がアプリケーションパラメータ構成メッセージをVNFに送信する前に、NMまたはVNFMによって送信されたVNFインスタンス化完了メッセージを受信するようにさらに構成され、VNFインスタンス化完了メッセージは、VNFのインスタンス化が完了したことを示すために使用され、
送信部は、構成フィードバックメッセージをNMに送信するように具体的に構成される。
【００３０】
第5の態様を参照して、第4の可能な実施では、管理ノードはVNFMであり、
受信部は、送信部がアプリケーションパラメータ構成メッセージをVNFに送信する前に、VNFMによって送信されたVNFインスタンス化完了メッセージを受信するようにさらに構成され、VNFインスタンス化完了メッセージは、VNFのインスタンス化が完了したことを示すために使用され、
送信部は、構成フィードバックメッセージをVNFMに送信するように具体的に構成される。
【００３１】
第6の態様によれば、本発明はVNFを提供し、VNFは、
EMによって送信されたアプリケーションパラメータ構成メッセージを受信するように構成された受信部であって、アプリケーションパラメータ構成メッセージは、VNFのアプリケーションパラメータを構成するようにVNFに命令するために使用される、受信部と、
VNFによってアプリケーションパラメータを構成した結果に従って構成フィードバックメッセージを生成するように構成された生成部であって、構成フィードバックメッセージは、VNFのアプリケーションパラメータが正常に構成されたかどうかを示すために使用される、生成部と、
生成部によって生成された構成フィードバックメッセージをEMに送信するように構成された送信部であって、EMは、構成フィードバックメッセージを管理ノードに送信し、構成フィードバックメッセージは、管理ノードによってVNFの処理方針を決定するために使用され、処理方針は、管理ノードによってVNFを処理するために使用される、送信部と
を含む。
【００３２】
第6の態様の第1の可能な実施では、
生成部によって生成された構成フィードバックメッセージは、VNFの識別子を運び、VNFの識別子は、EM、管理ノード、またはNFVOによってVNFに割り当てられる。
【００３３】
第7の態様によれば、本発明は管理ノードを提供し、管理ノードは、
EMによって送信された構成フィードバックメッセージを受信し、構成フィードバックメッセージに従ってVNFの処理方針を決定するように構成されたプロセッサであって、構成フィードバックメッセージは、VNFのアプリケーションパラメータが正常に構成されているかどうかを示すために使用され、処理方針は、VNFを処理するためにプロセッサによって使用される、プロセッサ
を含む。
【００３４】
第7の態様の第1の可能な実施では、管理ノードはNMであり、
プロセッサによって受信された構成フィードバックメッセージが、VNFのアプリケーションパラメータが正常に構成されたことを示す場合には、プロセッサによって決定された処理方針は、プロセッサがNFVOにVNFを使用してNSを構成するように命令することであり、または、
プロセッサによって受信された構成フィードバックメッセージが、VNFのアプリケーションパラメータを構成することに失敗したことを示す場合には、プロセッサによって決定される処理方針は、プロセッサがNFVOにVNFによって占有されているリソースを解放するように命令することである。
【００３５】
第7の態様の第1の可能な実施を参照して、
第2の可能な実施では、プロセッサは、EMによって送信された構成フィードバックメッセージを受信する前に、EMに検索メッセージを送信するようにさらに構成され、検索メッセージは、VNFの識別子を運び、検索メッセージは、VNFの識別子に対応する構成フィードバックメッセージを検索するようにEMに命令するために使用される。
【００３６】
第7の態様の第1の可能な実施を参照して、
第3の可能な実施では、プロセッサは、EMによって送信された構成フィードバックメッセージを受信する前に、VNFアプリケーションパラメータ構成通知メッセージをEMに送信するようにさらに構成され、VNFアプリケーションパラメータ構成通知メッセージは、VNFのアプリケーションパラメータを構成するようにEMに命令するために使用される。
【００３７】
第7の態様の第1の可能な実施を参照して、
第4の可能な実施では、プロセッサは、EMによって送信された構成フィードバックメッセージを受信する前に、VNFインスタンス化完了メッセージをEMに送信するようにさらに構成され、VNFインスタンス化完了メッセージは、VNFのインスタンス化が完了したことを示すために使用される。
【００３８】
第7の態様を参照して、第5の可能な実施では、管理ノードはVNFMであり、
プロセッサによって受信された構成フィードバックメッセージが、VNFのアプリケーションパラメータが正常に構成されていることを示す場合には、プロセッサによって決定される処理方針は、プロセッサがNFVOを使用してVNFインスタンス化完了メッセージをNMに送信することであり、NMは、VNFインスタンス化完了メッセージに従って、VNFを使用してNSを構成するようにNFVOに命令し、または、
プロセッサによって受信された構成フィードバックメッセージが、VNFのアプリケーションパラメータを構成することに失敗したことを示す場合には、プロセッサによって決定される処理方針は、プロセッサがNFVOにVNFによって占有されているリソースを解放するように命令することである。
【００３９】
第8の態様によれば、本発明はEMを提供し、EMは、
アプリケーションパラメータ構成メッセージをVNFに送信し、VNFによって送信された構成フィードバックメッセージを受信し、構成フィードバックメッセージを管理ノードに送信するように構成されたプロセッサであって、アプリケーションパラメータ構成メッセージは、VNFにVNFのアプリケーションパラメータを構成するように命令するために使用され、構成フィードバックメッセージは、VNFのアプリケーションパラメータが正常に構成されたかどうかを示すために使用され、構成フィードバックメッセージは、管理ノードによってVNFの処理方針を決定するために使用され、処理方針は、管理ノードによってVNFを処理するために使用される、プロセッサを含む。
【００４０】
第8の態様の第1の可能な実施では、管理ノードはNMであり、
プロセッサは、構成フィードバックメッセージをNMに送信する前に、NMによって送信された検索メッセージを受信するようにさらに構成され、検索メッセージは、VNFの識別子を運び、検索メッセージは、VNFの識別子に対応する構成フィードバックメッセージを検索するようにプロセッサに命令するために使用され、
プロセッサは、VNFの識別子に従って、複数の保存された構成フィードバックメッセージからVNFの識別子に対応する構成フィードバックメッセージを検索するように具体的に構成される。
【００４１】
第8の態様を参照して、第2の可能な実施では、管理ノードはNMであり、
プロセッサは、アプリケーションパラメータ構成メッセージをVNFに送信する前に、NMによって送信されたVNFアプリケーションパラメータ構成通知メッセージを受信するようにさらに構成され、VNFアプリケーションパラメータ構成通知メッセージは、VNFのアプリケーションパラメータを構成するようにプロセッサに命令するために使用され、
プロセッサは、構成フィードバックメッセージをNMに送信するように具体的に構成される。
【００４２】
第8の態様を参照して、第3の可能な実施では、管理ノードはNMであり、
プロセッサは、アプリケーションパラメータ構成メッセージをVNFに送信する前に、NMまたはVNFMによって送信されたVNFインスタンス化完了メッセージを受信するようにさらに構成され、VNFインスタンス化完了メッセージは、VNFのインスタンス化が完了したことを示すために使用され、
プロセッサは、構成フィードバックメッセージをNMに送信するように具体的に構成される。
【００４３】
第8の態様を参照して、第4の可能な実施では、管理ノードはVNFMであり、
プロセッサは、アプリケーションパラメータ構成メッセージをVNFに送信する前に、VNFMによって送信されたVNFインスタンス化完了メッセージを受信するようにさらに構成され、VNFインスタンス化完了メッセージは、VNFのインスタンス化が完了したことを示すために使用され、
プロセッサは、構成フィードバックメッセージをVNFMに送信するように具体的に構成される。
【００４４】
第9の態様によれば、本発明はVNFを提供し、VNFは、
EMによって送信されたアプリケーションパラメータ構成メッセージを受信し、VNFによってアプリケーションパラメータを構成した結果に従って構成フィードバックメッセージを生成し、設定フィードバックメッセージをEMに送信するように構成されたプロセッサであって、EMは構成フィードバックメッセージを管理ノードに送信し、アプリケーションパラメータ構成メッセージは、プロセッサにVNFのアプリケーションパラメータを構成するように命令するために使用され、構成フィードバックメッセージは、VNFのアプリケーションパラメータが正常に構成されたかどうかを示すために使用され、構成フィードバックメッセージは、VNFの処理方針を決定するために管理ノードによって使用され、処理方針は、VNFを処理するために管理ノードによって使用される、プロセッサ
を含む。
【００４５】
第9の態様の第1の可能な実施では、
プロセッサによって生成された構成フィードバックメッセージは、VNFの識別子を運び、VNFの識別子は、EM、管理ノード、またはNFVOによってVNFに割り当てられる。
【００４６】
第10の態様によれば、本発明は通信システムを提供し、通信システムは、
第4の態様または第4の態様の可能な実施のいずれか1つによる管理ノードと、第5の態様または第5の態様の可能な実施のいずれか1つによるEMと、第6の態様または第6の態様の第1の可能な実施によるVNFと、を含み、あるいは、
第7の態様または第7の態様の可能な実施のいずれか1つによる管理ノードと、第8の態様または第8の態様の可能な実施のいずれか1つによるEMと、第9の態様または第9の態様の第1の可能な実施のVNFと、を含む。
【００４７】
本発明は、VNF処理方針を決定する方法、装置、およびシステムを提供するものであり、本方法は、管理ノードにより、EMによって送信された構成フィードバックメッセージを受信するステップと、管理ノードにより、構成フィードバックメッセージに従ってVNFの処理方針を決定するステップと、を具体的に含む。構成フィードバックメッセージは、VNFのアプリケーションパラメータが正常に構成されているかどうかを示すために使用され、処理方針はVNFを処理するために管理ノードによって使用される。本発明において提供されるVNF処理方針を決定する方法、装置、およびシステムによれば、管理ノードは、EMにより送信された構成フィードバックメッセージに従って、VNFのアプリケーションパラメータの構成結果を知ることができ、構成結果、すなわち、VNFのアプリケーションパラメータが正常に構成されているか否かに従って、VNFの対応する処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【００４８】
本発明の実施形態において、または従来技術において、技術的解決策をより明確に説明するために、実施形態または従来技術の説明に必要な図面を以下に簡単に導入する。当然ながら、以下の説明における添付の図面は、単に本発明のいくつかの実施形態を示すにすぎない。
【図面の簡単な説明】
【００４９】
【図１】本発明の一実施形態によるNFVシステムのブロック図である。
【図２】本発明の一実施形態によるVNF処理方針を決定する方法の第1のフローチャートである。
【図３】本発明の一実施形態によるVNF処理方針を決定する方法の第2のフローチャートである。
【図４】本発明の一実施形態によるVNF処理方針を決定する方法の第3のフローチャートである。
【図５】本発明の一実施形態によるVNF処理方針を決定する方法の第1の相互作用図である。
【図６】本発明の一実施形態によるVNF処理方針を決定する方法の第2の相互作用図である。
【図７】本発明の一実施形態によるVNF処理方針を決定する方法の第3の相互作用図である。
【図８】本発明の一実施形態によるVNF処理方針を決定する方法の第4の相互作用図である。
【図９】本発明の一実施形態によるVNF処理方針を決定する方法の第5の相互作用図である。
【図１０Ａ】本発明の一実施形態によるVNF処理方針を決定する方法の第6の相互作用図である。
【図１０Ｂ】本発明の一実施形態によるVNF処理方針を決定する方法の第6の相互作用図である。
【図１１Ａ】本発明の一実施形態によるVNF処理方針を決定する方法の第7の相互作用図である。
【図１１Ｂ】本発明の一実施形態によるVNF処理方針を決定する方法の第7の相互作用図である。
【図１２Ａ】本発明の一実施形態によるVNF処理方針を決定する方法の第8の相互作用図である。
【図１２Ｂ】本発明の一実施形態によるVNF処理方針を決定する方法の第8の相互作用図である。
【図１３】本発明の一実施形態によるVNF処理方針を決定する方法の第9の相互作用図である。
【図１４】本発明の一実施形態による管理ノードの概略構成図である。
【図１５】本発明の一実施形態によるNMの概略構成図である。
【図１６】本発明の一実施形態によるEMの第1の概略構成図である。
【図１７】本発明の一実施形態によるEMの第2の概略構成図である。
【図１８】本発明の一実施形態によるVNFの概略構成図である。
【図１９】本発明の一実施形態による管理ノードのハードウェアの概略構成図である。
【図２０】本発明の一実施形態によるEMのハードウェアの概略構成図である。
【図２１】本発明の一実施形態によるVNFのハードウェアの概略構成図である。
【図２２】本発明の一実施形態による通信システムのブロック図である。
【発明を実施するための形態】
【００５０】
以下では、本発明の実施形態の添付図面を参照して、本発明の実施形態の技術的解決策について明白に説明する。当然ながら、記載された実施形態は、本発明の実施形態の一部にすぎず、そのすべてではない。
【００５１】
本発明の実施形態で提供されるVNF処理方針を決定する方法について説明する前に、まず、本発明の実施形態で提供されるVNF処理方針を決定する方法に関連するシステムについて簡単に説明する。図1に示すように、図1は、本発明の一実施形態によるNFVシステムのブロック図である。
【００５２】
NFVシステムは、主に、NFVO、VNFM、仮想化インフラストラクチャマネージャ（英語：virtualized infrastructure manager、略してVIM）、運用支援システム（英語：operations support system、略してOSS）、ビジネス支援システム（英語：business support system、略してBSS）、EM、VNFノード、およびネットワーク機能仮想化インフラストラクチャ（英語：network function virtualization infrastructure、略してNFVI）を含む。NFVO、VNFM、およびVIMは、NFV管理およびオーケストレーション（英語：NFV management and orchestration、略してNFV-MANO）ドメインを形成する。
【００５３】
NFVOは、VNFおよびVNFに対応するNFVIに対する配備、運用、管理、調整を行うために使用され、NSのライフサイクルを管理するために使用される。
【００５４】
VIMは、インフラストラクチャおよびリソースの管理エントリであり、インフラストラクチャに関連する仮想化リソースおよびハードウェアの、構成メンテナンス、リソース監視、アラーム、およびパフォーマンス管理などの機能を提供することができる。
【００５５】
NFVIは、ネットワーク機能の仮想化に必要な計算、記憶、およびネットワークリソースの総称である。
【００５６】
VNFMは、VNFのライフサイクル、例えば、インスタンス化、拡張もしくは縮小、クエリ、更新、および終了を管理するために使用される。
【００５７】
本発明の実施形態で説明するVNFは、VNFMが展開パラメータを構成したVNFノードを指し、すなわち、本発明の実施形態で説明したVNFインスタンス化の完了は、VNFのVNFMによって展開パラメータの構成が完了したことと理解することができることに留意されたい。インスタンス化されたVNFは、EMがアプリケーションパラメータを構成したVNFノードとして理解することができ、VNFノードは対応する機能を実現することができる。例えば、VNFノードは仮想マシン（英語：virtual machine、略してVM）上で動作し、SGW機能を実現できるノードである。
【００５８】
EMは、NFVシステム内のすべてのVNFでアプリケーション関連のパラメータ構成を実行するために使用される。
【００５９】
NMは、NSのライフサイクル、例えば、インスタンス化、拡張もしくは縮小、クエリ、更新、および終了を管理するために使用される。
【００６０】
本発明の実施形態におけるNMは、具体的には、OSSもしくはBSSであってもよいし、またはOSSもしくはBSSのユーザ操作インターフェースであってもよいことに留意されたい。
【００６１】
本発明の実施形態では、NFVシステムは、ロングタームエボリューション（英語：long term evolution、略してLTE）通信システムに適用することができ、またはLTE-A（英語の正式名称：long term evolution advanced）システムなどの進化型LTE通信システムに適用することができる。これは、本発明においては限定されない。
【００６２】
実施形態1
本発明の一実施形態は、VNF処理方針を決定する方法を提供する。図2に示すように、本方法は以下のステップを含むことができる。
【００６３】
S101：管理ノードは、EMによって送信された構成フィードバックメッセージを受信し、構成フィードバックメッセージは、VNFのアプリケーションパラメータが正常に構成されたかどうかを示すために使用される。
【００６４】
構成フィードバックメッセージは、VNFのアプリケーションパラメータが正常に構成されたことを示す情報を含むか、またはVNFのアプリケーションパラメータの構成に失敗したことを示す情報を含む。例えば、特定のフラグビットを構成フィードバックメッセージに設定することができる。フラグビットが1である場合には、構成フィードバックメッセージは、VNFのアプリケーションパラメータが正常に構成されたことを示すために使用される。フラグビットが0である場合には、構成フィードバックメッセージは、VNFのアプリケーションパラメータの構成に失敗したことを示すために使用される。
【００６５】
S102：管理ノードは、構成フィードバックメッセージに従ってVNFの処理方針を決定し、処理方針は、管理ノードによってVNFを処理するために使用される。
【００６６】
本発明のこの実施形態では、管理ノードは、NMまたはVNFMであってもよいことに留意されたい。管理ノードによって受信された構成フィードバックメッセージは、VNFの識別子を運ぶことができるので、管理ノードは、構成フィードバックメッセージを受信した後に、構成フィードバックメッセージに従ってVNFの処理方針を決定することができる。VNFは、構成フィードバックメッセージで運ばれるVNFの識別子に対応するVNFである。
【００６７】
構成フィードバックメッセージは、VNFがEMによって送信されたアプリケーションパラメータ構成メッセージを受信した後にEMに返される応答メッセージであってもよい。すなわち、EMによって送信されたアプリケーションパラメータ構成メッセージを受信した後、VNFは、アプリケーションパラメータ構成メッセージに従ってVNFのアプリケーションパラメータを構成し、構成結果に従って構成フィードバックメッセージを生成し、構成フィードバックメッセージをEMに送信する。その後、EMは構成フィードバックメッセージを管理ノードに転送する。
【００６８】
さらに、処理方針は、VNF上で対応する処理を実行するようにNFVOに命令するために、管理ノードによって使用されてもよい。
【００６９】
具体的には、第1の態様では、管理ノードがNMである場合には、NMが構成フィードバックメッセージを受信した後、構成フィードバックメッセージがVNFのアプリケーションパラメータが正常に構成されたことを示す場合には、構成フィードバックメッセージに従ってVNFについてNMによって決定された処理方針は、NMがNSを構成するためにVNFを使用するようにNFVOに命令することであってもよい。すなわち、NMが構成フィードバックメッセージを受信した後、構成フィードバックメッセージに従って、VNFのアプリケーションパラメータが正常に構成されているとNMが決定した場合には、NMは、VNFを使用してNSを構成するようにNFVOに命令することを決定する。
【００７０】
NMが、NSを構成するためにVNFを使用するようにNFVOに命令することは、以下の動作として理解され得る。NMがインスタンス化されていないNSをインスタンス化して、VNFがNSを構成し、NSのインスタンス化が実現される。あるいは、NMは、インスタンス化されたNSを拡張するようにNFVOに命令して、VNFがNSの構成部分になる、すなわち、VNFがNSを構成する。あるいは、NMがインスタンス化されたNSを更新するようにNFVOに命令し、VNFがNSを構成するVNFを置き換え、VNFがNSを構成する。本発明のこの実施形態において、VNFを使用してNSを構成するようにNMがNFVOに命令する特定のプロセスをよりよく説明するために、以下では、NMがNSをインスタンス化するようにNFVOに命令する例を説明する。
【００７１】
例えば、NMがVNFによって構成されたNSをインスタンス化する必要がある場合には、NMはNFVOにNSインスタンス化要求メッセージを送信して、NFVOにNSをインスタンス化するように要求することができる。NSインスタンス化要求メッセージは、NSのインスタンス化情報を運ぶ。NFVOがNSインスタンス化要求メッセージを受信した後、NFVOは、NSインスタンス化要求メッセージに従って、NSのインスタンス化情報を満たす複数のVNFに関連する接続操作を実行して、複数のVNFがNSを構成し、NSのインスタンス化が実現される。VNFは、NSのインスタンス化情報を満たす複数のVNFのうちの1つである。すなわち、NMは、NSを構成するためにVNFを使用するようにNFVOに命令する。
【００７２】
さらに、本発明のこの実施形態では、EMによって送信された構成フィードバックメッセージを受信し、構成フィードバックメッセージに従って、VNFのアプリケーションパラメータが正常に構成されていると決定した後に、NMは、VNFを使用してNSを構成するようにNFVOに命令することを決定する。アプリケーションパラメータが正常に構成されたことは、VNFが正常に実行できることを示している。したがって、NMがVNFを使用してNSを構成するようにNFVOに命令すると、VNFが正常に動作するので、NSの正常な動作を保証することができる。したがって、これは、NMが、アプリケーションパラメータを構成することに失敗したVNFを使用してNSを構成するように、すなわち、NSを構成するために正常に動作することができないVNFを使用するように、NFVOに命令した場合に、NSが正常に動作しないという従来技術の問題を回避する
【００７３】
第2の態様では、NMが構成フィードバックメッセージを受信した後、構成フィードバックメッセージが、VNFのアプリケーションパラメータの構成に失敗したことを示す場合には、構成フィードバックメッセージに従ってVNFについてNMによって決定された処理方針は、NMはVNFが占有しているリソースを解放するようにNFVOに命令することであってもよい。すなわち、NMが、構成フィードバックメッセージに従って、VNFのアプリケーションパラメータの構成に失敗したことを決定する場合には、NMは、VNFが占有するリソースを解放するようにNFVOに命令することができる。
【００７４】
NMが、VNFが占有するリソースを解放するようにNFVOに命令する特定のプロセスは、以下の通りであってもよい。NMは、NFVOにリソース解放命令メッセージを送信して、VNFが占有するリソースを解放するようにNFVOに命令する。NFVOがリソース解放命令メッセージを受信した後、NFVOはリソース解放命令メッセージをVIMに送信し、リソース解放命令メッセージに従って、VNFが占有するリソースを解放するようにVIMに要求する。VNFが占有するリソースは、VNFのインスタンス化プロセスにおいてVNFに割り当てられたVMおよび仮想接続などのリソースを含むことができる。
【００７５】
さらに、従来技術では、EMがVNFのアプリケーションパラメータを構成することに失敗した場合には、VNFは正常に動作することができない。インスタンス化プロセスではVNFがリソースを占有しているので、VNFが正常に実行できない場合でも、VNFは依然としてリソースを占有する。その結果、リソースを十分に活用することができず、リソースの無駄が生じる。しかしながら、本発明のこの実施形態では、NMがEMによって送信された構成フィードバックメッセージを受信し、構成フィードバックメッセージに従って、VNFのアプリケーションパラメータの構成に失敗したことを決定した後に、NMは、適時に、VNFが占有するリソースを解放するようにNFVOに命令することができる。結果として、これは、アプリケーションパラメータの構成に失敗したVNFによって占有されるリソースの浪費という従来技術の問題を回避する。その後、リソースは完全に使用され、リソースの使用率が改善される。
【００７６】
第3の態様では、管理ノードがVNFMである場合に、VNFMが構成フィードバックメッセージを受信した後、VNFのアプリケーションパラメータが正常に構成されたことを構成フィードバックメッセージが示す場合には、構成フィードバックメッセージに従ってVNFMによってVNFについて決定された処理方針は、VNFがNFVOを使用してNMにVNFインスタンス化完了メッセージを送信し、NMがVNFインスタンス化完了メッセージに従ってVNFを使用してNSを構成するようにNFVOに命令することであってもよい。すなわち、VNFMが、構成フィードバックメッセージに従って、VNFのアプリケーションパラメータが正常に構成されているとVNFMが決定した場合には、VNFMはVNFインスタンス化完了メッセージをNFVOに送信し、NFVOはVNFインスタンス化完了メッセージをNMに送信して、NMは、VNFインスタンス化完了メッセージに従って、VNFのインスタンス化が完了し、VNFのアプリケーションパラメータが正常に構成されたことを決定し、次いで、NMは、VNFを使用してNSを構成するようにNFVOに命令することができる。
【００７７】
さらに、本発明のこの実施形態では、VNFのアプリケーションパラメータが正常に構成されたと決定した後に、VNFMは、VNFのインスタンス化が完了したこと、すなわちVNFが正常に動作することができることをNMに通知する。したがって、NMがVNFを使用して関連するNSを構成すると、VNFによって構成されるNSの正常な実行を保証することができる。したがって、これは先行技術の問題を回避し、その問題は以下の通りである。VNFMがインスタンス化されたVNFのアプリケーションパラメータが正常に構成されたかどうかがわからない場合には、VNFMはVNFのインスタンス化が完了したことをNMに通知し、したがって、NMはおそらく、アプリケーションパラメータを構成することに失敗したVNFを使用してNSを構成するようにNFVOに命令し、それでNSを正常に実行することができない。
【００７８】
第4の態様では、VNFMが構成フィードバックメッセージを受信した後、構成フィードバックメッセージが、VNFのアプリケーションパラメータの構成に失敗したことを示す場合には、構成フィードバックメッセージに従ってVNFについてVNFMによって決定された処理方針は、VNFMはVNFが占有しているリソースを解放するようにNFVOに命令することであってもよい。すなわち、VNFMが、構成フィードバックメッセージに従って、VNFのアプリケーションパラメータの構成に失敗したことを決定する場合には、VNFMは、VNFが占有するリソースを解放するようにNFVOに命令することができる。
【００７９】
VNFMがVNFによって占有されているリソースを解放するようにNFVOに命令する方法は、NMがVNFによって占有されているリソースを解放するようにNFVOに命令する方法と同じである。詳細については、NMがVNFによって占有されているリソースを解放するようにNFVOに命令する方法を参照されたく、詳細はここでは説明しない。
【００８０】
さらに、本発明のこの実施形態では、VNFMがEMによって送信された構成フィードバックメッセージを受信し、構成フィードバックメッセージに従って、VNFのアプリケーションパラメータの構成に失敗したことを決定した後に、VNFMは、適時に、VNFが占有するリソースを解放するようにNFVOに命令することができる。結果として、これは、アプリケーションパラメータの構成に失敗したVNFによって占有されるリソースの浪費という従来技術の問題を回避する。その後、リソースは完全に使用され、リソースの使用率が改善される。
【００８１】
本発明のこの実施形態は、VNF処理方針を決定する方法を提供し、本方法は、管理ノードによって、EMにより送信された構成フィードバックメッセージを受信するステップと、管理ノードによって、構成フィードバックメッセージに従ってVNFの処理方針を決定するステップと、を含むことができる。構成フィードバックメッセージは、VNFのアプリケーションパラメータが正常に構成されているかどうかを示すために使用され、処理方針はVNFを処理するために管理ノードによって使用される。この方法によれば、管理ノードは、EMにより送信された構成フィードバックメッセージに従って、VNFのアプリケーションパラメータの構成結果を知ることができ、構成結果、すなわち、VNFのアプリケーションパラメータが正常に構成されているか否かに従って、VNFの対応する処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【００８２】
本発明の一実施形態は、VNF処理方針を決定する方法を提供する。図3に示すように、本方法は以下のステップを含む。
【００８３】
S201：EMがアプリケーションパラメータ構成メッセージをVNFに送信し、アプリケーションパラメータ構成メッセージは、VNFのアプリケーションパラメータを構成するようにVNFに命令するために使用される。
【００８４】
具体的には、本発明のこの実施形態では、EMは、以下の2つの可能なアプリケーションシナリオにおいて、アプリケーションパラメータ構成メッセージをVNFに送信することができる。
【００８５】
任意選択的に、第1の可能なアプリケーションシナリオでは、VNFインスタンス化完了メッセージを受信した後、EMは、アプリケーションパラメータがVNFのために構成される必要があると決定することができ、次にEMはアプリケーションパラメータ構成メッセージをVNFに送信し、アプリケーションパラメータ構成メッセージに従ってVNFのアプリケーションパラメータを構成するようにVNFに命令することができる。EMによって受信されたVNFインスタンス化完了メッセージは、VNFMによってEMに送信されてもよく、またはNMによってEMに送信されてもよい。
【００８６】
任意選択的に、第2の可能なアプリケーションシナリオでは、NMがVNFMによって送信されたVNFインスタンス化完了メッセージを受信し、VNFのインスタンス化が完了したと決定した場合には、NMがVNFを使用する必要があると決定すると、NMはVNFアプリケーションパラメータ構成通知メッセージをEMに送信して、VNFのアプリケーションパラメータを構成するようにEMに命令する。NMによって送信されたVNFアプリケーションパラメータ構成通知メッセージを受信した後、EMは、VNFアプリケーションパラメータ構成通知メッセージの命令に従って、VNFのアプリケーションパラメータを構成することを決定する。その後、EMは、アプリケーションパラメータ構成メッセージをVNFに送信して、アプリケーションパラメータ構成メッセージに従ってVNFのアプリケーションパラメータを構成するようにVNFに命令することができる。
【００８７】
S202：EMは、VNFによって送信された構成フィードバックメッセージを受信し、構成フィードバックメッセージは、VNFのアプリケーションパラメータが正常に構成されたかどうかを示すために使用される。
【００８８】
S203：EMは、構成フィードバックメッセージを管理ノードに送信し、構成フィードバックメッセージは、管理ノードによってVNFの処理方針を決定するために使用され、処理方針は、管理ノードによってVNFを処理するために使用される。
【００８９】
管理ノードは、NMまたはVNFMであってもよい。
【００９０】
具体的には、本発明のこの実施形態では、VNFによって送信された構成フィードバックメッセージを受信した後、EMは、構成フィードバックメッセージをNMまたはVNFMに直接送信することができる。あるいは、VNFによって送信された構成フィードバックメッセージを受信した後、EMは、構成フィードバックメッセージと、構成フィードバックメッセージを送信するVNFの識別子と、の間の対応関係を保存し、NMによって送信された検索メッセージを受信した後、NMに構成フィードバックメッセージを送信することができる。VNFの識別子は、構成フィードバックメッセージで運ばれてもよく、またはEMによって保存されてもよい。
【００９１】
さらに、NMによって送信された検索メッセージを受信した後、EMは、検索メッセージで運ばれたVNFの識別子に従って、複数のVNFによって送信された保存された構成フィードバックメッセージからVNFの識別子に対応する構成フィードバックメッセージを検索し、構成フィードバックメッセージをNMに送信することができる。検索メッセージは、検索メッセージで運ばれるVNFの識別子に対応する構成フィードバックメッセージを検索するようにEMに命令するために使用される。
【００９２】
EMによって受信され、VNFによって送信される構成フィードバックメッセージがVNFの識別子を運ばない場合には、EMは、EMが構成フィードバックメッセージを管理ノードに送信するときに、構成フィードバックメッセージにVNFの識別子を追加することができることに留意されたい。その後、EMによって送信された構成フィードバックメッセージを受信した後、管理ノードは、構成フィードバックメッセージに従ってVNFの処理方針を決定することができる。VNFは、構成フィードバックメッセージで運ばれるVNFの識別子に対応するVNFであり、処理方針は、VNFを処理するために管理ノードによって使用される。
【００９３】
具体的には、管理ノードが構成フィードバックメッセージに従ってVNFの処理方針を決定する具体的な実現については、図2に示す実施形態の関連する説明を参照されたい。したがって、ここでは詳細については再度の説明を省略する。
【００９４】
本発明のこの実施形態は、VNF処理方針を決定する方法を提供し、本方法は、EMによって、アプリケーションパラメータ構成メッセージをVNFに送信するステップと、VNFによって送信された構成フィードバックメッセージを受信するステップと、構成フィードバックメッセージを管理ノードに送信するステップと、を含むことができる。アプリケーションパラメータ構成メッセージは、VNFのアプリケーションパラメータを構成するようにVNFに命令するために使用される。構成フィードバックメッセージは、VNFのアプリケーションパラメータが正常に構成されているかどうかを示すために使用される。構成フィードバックメッセージは、VNFの処理方針を決定するために管理ノードによって使用され、処理方針は、VNFを処理するために管理ノードによって使用される。この方法によれば、EMは、VNFによって送信された構成フィードバックメッセージを受信し、管理ノードに構成フィードバックメッセージを送信することができるので、管理ノードは、構成フィードバックメッセージに従ってVNFのアプリケーションパラメータの構成結果を知ることができ、その構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【００９５】
本発明の一実施形態は、VNF処理方針を決定する方法を提供する。図4に示すように、本方法は以下のステップを含む。
【００９６】
S301：VNFは、EMによって送信されたアプリケーションパラメータ構成メッセージを受信し、アプリケーションパラメータ構成メッセージは、VNFのアプリケーションパラメータを構成するようにVNFに命令するために使用される。
【００９７】
S302：VNFは、VNFによるアプリケーションパラメータを構成した結果に従って、構成フィードバックメッセージを生成し、構成フィードバックメッセージは、VNFのアプリケーションパラメータが正常に構成されたかどうかを示すために使用される。
【００９８】
本発明のこの実施形態では、EMによって送信されたアプリケーションパラメータ構成メッセージを受信した後、VNFは、アプリケーションパラメータ構成メッセージに従って、VNFのアプリケーションパラメータを構成する。VNFのアプリケーションパラメータの構成は、成功することもあれば、失敗することもある。すなわち、VNFによるアプリケーションパラメータの構成の結果は、VNFのアプリケーションパラメータが正常に構成されていることであってもよいし、VNFのアプリケーションパラメータの構成に失敗したことであってもよい。したがって、VNFのアプリケーションパラメータが正常に構成されている場合には、VNFは、VNFのアプリケーションパラメータが正常に構成されたことを示す情報を含む構成フィードバックメッセージを生成して、VNFのアプリケーションパラメータが正常に構成されたことを示すことができる。VNFのアプリケーションパラメータの構成に失敗した場合には、VNFは、VNFのアプリケーションパラメータの構成に失敗したことを示す情報を含む構成フィードバックメッセージを生成して、VNFのアプリケーションパラメータの構成に失敗したことを示すことができる。
【００９９】
S303：VNFは、構成フィードバックメッセージをEMに送信し、EMは、構成フィードバックメッセージを管理ノードに送信し、構成フィードバックメッセージは、管理ノードによってVNFの処理方針を決定するために使用され、処理方針は、管理ノードによってVNFを処理するために使用される。
【０１００】
さらに、構成フィードバックメッセージを生成した後、VNFは構成フィードバックメッセージをEMに送信し、EMは構成フィードバックメッセージを管理ノードに送信するので、管理ノードは、構成フィードバックメッセージに従ってVNFの処理方針を決定する。
【０１０１】
管理ノードが構成フィードバックメッセージに従ってVNFの処理方針を決定する具体的な方法については、図2に示す実施形態の関連する説明を参照されたい。したがって、ここでは詳細については再度の説明を省略する。
【０１０２】
任意選択的に、構成フィードバックメッセージはVNFの識別子を運ぶことができるので、EMがVNFの識別子に従って構成フィードバックメッセージとVNFとの間の対応関係を決定することができる。VNFの識別子は、EMによってVNFに割り当てられてもよく、または管理ノードによってVNFに割り当てられてもよく、またはNFVOによってVNFに割り当てられてもよい。
【０１０３】
本発明のこの実施形態は、VNF処理方針を決定する方法を提供し、本方法は、VNFによって、EMにより送信されたアプリケーションパラメータ構成メッセージを受信するステップと、VNFによってアプリケーションパラメータを構成した結果に従って構成フィードバックメッセージを生成するステップと、VNFによって構成フィードバックメッセージをEMに送信するステップと、を含むことができる。アプリケーションパラメータ構成メッセージは、VNFのアプリケーションパラメータを構成するようにVNFに命令するために使用され、構成フィードバックメッセージは、VNFのアプリケーションパラメータが正常に構成されているかどうかを示すために使用される。この方法によれば、VNFは、アプリケーションパラメータを構成した結果に従って構成フィードバックメッセージを生成し、構成フィードバックメッセージをEMに送信することができる。EMが構成フィードバックメッセージを受信した後、EMは構成フィードバックメッセージを管理ノードに送信するので、管理ノードは構成フィードバックメッセージに従ってVNFのアプリケーションパラメータの構成結果を知ることができ、構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０１０４】
実施形態2
本発明の一実施形態は、VNF処理方針を決定する方法を提供する。管理ノードがVNFMである場合には、図5に示すように、本方法は、以下のステップを含むことができる。
【０１０５】
S401：VNFMは、VNFインスタンス化完了メッセージをEMに送信する。
【０１０６】
具体的には、VNFのインスタンス化を完了した後、VNFMは、VNFインスタンス化完了メッセージをEMに送信して、VNFのインスタンス化が完了したことをEMに通知する。
【０１０７】
VNFMによってVNFをインスタンス化する具体的なプロセスについては、VNFMによってVNFをインスタンス化する既存の標準で定義されているプロセスを参照されたい。詳細についてはここでは説明しない。
【０１０８】
S402：VNFインスタンス化完了メッセージを受信した後、EMはアプリケーションパラメータ構成メッセージをVNFに送信する。
【０１０９】
EMがVNFインスタンス化完了メッセージを受信し、VNFのインスタンス化が完了したと決定した後に、EMは、アプリケーションパラメータがVNFのために構成される必要があると決定することができることに留意されたい。次に、EMは、アプリケーションパラメータの構成情報をVNFに割り当て、割り当てられた構成情報をアプリケーションパラメータ構成メッセージに追加し、アプリケーションパラメータ構成メッセージをVNFに送信して、構成情報に従ってVNFのアプリケーションパラメータを構成するようにVNFに命令する。
【０１１０】
S403：アプリケーションパラメータ構成メッセージを受信した後に、VNFは、アプリケーションパラメータ構成メッセージに従ってVNFのアプリケーションパラメータを構成し、VNFのアプリケーションパラメータの構成結果を決定する。
【０１１１】
具体的には、アプリケーションパラメータ構成メッセージを受信した後、VNFは、アプリケーションパラメータであり、アプリケーションパラメータ構成メッセージで運ばれる構成情報に従って、VNFのアプリケーションパラメータを構成する。EMが間違った構成情報をVNFに割り当てる可能性があるので、VNFは、その構成情報に従ってVNFのアプリケーションパラメータの構成に失敗することがあり得る。例えば、EMによってVNFに割り当てられた構成情報中のネットワーク接続の数が、VNFによって占有されているリソースによってサポートされ得るネットワーク接続の最大数よりも大きい場合、すなわち、EMがVNFにより占有されているリソースによってサポートすることができない構成情報をVNFに割り当てる場合には、VNFのアプリケーションパラメータは、構成に失敗する。
【０１１２】
さらに、本発明のこの実施形態では、アプリケーションパラメータ構成メッセージに従ってVNFのアプリケーションパラメータを構成した後、VNFは、VNFのアプリケーションパラメータの構成結果を決定する。その構成結果は、具体的には、VNFのアプリケーションパラメータが正常に構成されているか、またはVNFのアプリケーションパラメータが構成に失敗したかである。
【０１１３】
S404：VNFは、構成結果に従って構成フィードバックメッセージを生成する。
【０１１４】
具体的には、構成結果がVNFのアプリケーションパラメータが正常に構成されているという場合には、VNFによって生成された構成フィードバックメッセージは、VNFのアプリケーションパラメータが正常に構成されたことを示す情報を含み、VNFのアプリケーションパラメータが正常に構成されたことを示す。構成結果がVNFのアプリケーションパラメータの構成に失敗したという場合には、VNFによって生成される構成フィードバックメッセージは、VNFのアプリケーションパラメータの構成に失敗したことを示す情報を含み、VNFのアプリケーションパラメータの構成に失敗したことを示す。
【０１１５】
S405：VNFは構成フィードバックメッセージをEMに送信する。
【０１１６】
S406：構成フィードバックメッセージを受信した後に、EMは、構成フィードバックメッセージをVNFMに送信する。
【０１１７】
EMによって受信され、VNFによって送信される構成フィードバックメッセージがVNFの識別子を運ばない場合には、EMは、EMによって保存されたVNF識別子からVNFの識別子を選択することができることに留意されたい。EMは、構成フィードバックメッセージをVNFMに送信すると、構成フィードバックメッセージにVNFの識別子を追加し、構成フィードバックメッセージをVNFMに送信することができるので、VNFMは、構成フィードバックメッセージを受信した後に、VNFの識別子に従って、構成フィードバックメッセージがVNFの構成フィードバックメッセージであると決定する。VNFの識別子は、VNFMによって送信されたVNFインスタンス化完了メッセージが受信された後に、VNFインスタンス化完了メッセージからEMによって取得される。あるいは、VNFMによって送信されたVNFインスタンス化完了メッセージが受信された後に、VNFの識別子がEMによってVNFに割り当てられてもよい。
【０１１８】
任意選択的に、EMによって受信され、VNFによって送信される構成フィードバックメッセージがVNFの識別子を運ぶ場合には、EMは構成フィードバックメッセージをVNFMに直接送信することができる。
【０１１９】
S407：構成フィードバックメッセージを受信した後に、VNFMは構成フィードバックメッセージに従ってVNFの処理方針を決定する。
【０１２０】
さらに、構成フィードバックメッセージが、VNFのアプリケーションパラメータが正常に構成されたことを示す場合には、図5を参照して、図6に示すように、S407は以下のステップを含むことができる。
【０１２１】
S407a：構成フィードバックメッセージを受信した後に、VNFMは構成フィードバックメッセージに従ってVNFインスタンス化完了メッセージをNFVOに送信する。
【０１２２】
VNFMは、構成フィードバックメッセージに従って、VNFのアプリケーションパラメータが正常に構成されたことを決定し、次いでVNFMは、VNFインスタンス化完了メッセージをNFVOに送信することができると決定し、VNFのインスタンス化が完了したことをNFVOに通知することができる。
【０１２３】
S407b：NFVOは、VNFインスタンス化完了メッセージをNMに送信する。
【０１２４】
S407c：NMがVNFインスタンス化完了メッセージを受信した後に、NMは、VNFを使用してNSを構成するようにNFVOに命令する。
【０１２５】
具体的には、NMにより、VNFを使用してNSを構成するようにNFVOに命令する方法については、図2に示す実施形態の関連する説明を参照されたい。したがって、ここでは詳細については再度の説明を省略する。
【０１２６】
構成フィードバックメッセージがVNFのアプリケーションパラメータの構成に失敗したことを示す場合には、図5を参照して、図7に示すように、S407は以下のようになり得る。
S407d：構成フィードバックメッセージを受信した後に、VNFMは、構成フィードバックメッセージに従って、VNFが占有しているリソースを解放するようにNFVOに命令する。
【０１２７】
具体的には、VNFMによって、VNFが占有するリソースを解放するようにNFVOに命令する方法については、図2に示す実施形態の関連する説明を参照されたい。したがって、ここでは詳細については再度の説明を省略する。
【０１２８】
本発明のこの実施形態において提供されるVNF処理方針を決定する方法では、VNFは、アプリケーションパラメータの構成結果に応じて構成フィードバックメッセージを生成し、構成フィードバックメッセージをEMに送信することができるので、EMは構成フィードバックメッセージをVNFMに送信する。VNFMは、構成フィードバックメッセージに従ってVNFのアプリケーションパラメータの構成結果を学習し、VNFMは、構成結果に従ってVNFの処理方針を決定する。すなわち、VNFのアプリケーションパラメータが正常に構成されている場合には、VNFMは、VNFを使用してNSを構成するようにNFVOに命令するようにNMに通知することができるので、EMがVNFのアプリケーションパラメータの構成に失敗した場合に、VNFによって構成されたNSが正常に動作できないという問題を回避することができる。さらに、VNFのアプリケーションパラメータの構成に失敗した場合に、VNFMは、VNFが占有するリソースを解放するようにNFVOに命令して、アプリケーションパラメータの構成に失敗したVNFが占有するリソースの無駄の問題を回避する。その後、リソースは完全に使用され、リソースの使用率が改善される。
【０１２９】
本発明の一実施形態は、VNF処理方針を決定する方法を提供する。管理ノードがNMである場合には、図8に示すように、本方法は、以下のステップを含むことができる。
【０１３０】
S501：VNFMは、VNFインスタンス化完了メッセージをEMに送信する。
【０１３１】
S502：VNFインスタンス化完了メッセージを受信した後、EMはアプリケーションパラメータ構成メッセージをVNFに送信する。
【０１３２】
S503：アプリケーションパラメータ構成メッセージを受信した後に、VNFは、アプリケーションパラメータ構成メッセージに従ってVNFのアプリケーションパラメータを構成し、VNFのアプリケーションパラメータの構成結果を決定する。
【０１３３】
S504：VNFは、構成結果に従って構成フィードバックメッセージを生成する。
【０１３４】
S505：VNFは構成フィードバックメッセージをEMに送信する。
【０１３５】
具体的には、本発明のこの本実施形態におけるS501〜S505の実施は、S401〜S405の実施と同じである。詳細は、S401〜S405の関連する説明を参照されたい。したがって、ここでは詳細については再度の説明を省略する。
【０１３６】
S506：VNFMは、VNFインスタンス化完了メッセージをNFVOに送信する。
【０１３７】
S507：VNFインスタンス化完了メッセージを受信した後に、NFVOは、VNFインスタンス化完了メッセージをNMに送信する。
【０１３８】
本発明のこの実施形態では、S501の後およびS502の前にS506〜S507を実行してもよいし、S502の後にS506〜S507を実行してもよい。これは、本発明のこの実施形態では限定されない。
【０１３９】
S508：構成フィードバックメッセージを受信した後に、EMは構成フィードバックメッセージをNMに送信する。
【０１４０】
本発明のこの実施形態では、EMがVNFによって送信された構成フィードバックメッセージを受信した後に、EMは構成フィードバックメッセージをNMに直接送信することができるので、NMは構成フィードバックメッセージに従ってVNFの処理方針を決定する。EMによって受信され、VNFによって送信される構成フィードバックメッセージがVNFの識別子を運ばない場合には、EMは、EMによって保存されたVNF識別子からVNFの識別子を選択することができる。EMは、構成フィードバックメッセージをNMに送信すると、構成フィードバックメッセージにVNFの識別子を追加し、構成フィードバックメッセージをNMに送信することができるので、NMは、構成フィードバックメッセージを受信した後に、VNFの識別子に従って、構成フィードバックメッセージがVNFの構成フィードバックメッセージであると決定する。EMによって受信され、VNFによって送信される構成フィードバックメッセージがVNFの識別子を運ぶ場合には、EMは構成フィードバックメッセージをNMに直接送信することができる。
【０１４１】
S509：構成フィードバックメッセージを受信した後に、NMは構成フィードバックメッセージに従ってVNFの処理方針を決定する。
【０１４２】
さらに、構成フィードバックメッセージが、VNFのアプリケーションパラメータが正常に構成されたことを示す場合には、図8を参照して、図9に示すように、S509は以下のようにすることができる。
S509a：構成フィードバックメッセージを受信した後に、NMは、構成フィードバックメッセージに従って、VNFを使用してNSを構成するようにNFVOに命令する。
【０１４３】
具体的には、NMにより、VNFを使用してNSを構成するようにNFVOに命令する方法については、図2に示す実施形態の関連する説明を参照されたい。したがって、ここでは詳細については再度の説明を省略する。
【０１４４】
さらに、構成フィードバックメッセージが、VNFのアプリケーションパラメータの構成に失敗したことを示す場合には、図8を参照して、図10Aおよび図10Bに示すように、S509は以下のようにすることができる。
S509b：NMが構成フィードバックメッセージを受信した後に、NMは、構成フィードバックメッセージに従って、VNFが占有するリソースを解放するようにNFVOに命令する。
【０１４５】
具体的には、NMによって、VNFが占有するリソースを解放するようにNFVOに命令する方法については、図2に示す実施形態の関連する説明を参照されたい。したがって、ここでは詳細については再度の説明を省略する。
【０１４６】
本発明のこの実施形態において提供されるVNF処理方針を決定する方法では、VNFは、アプリケーションパラメータの構成結果に従って構成フィードバックメッセージを生成し、構成フィードバックメッセージをEMに送信することができるので、EMは構成フィードバックメッセージをNMに送信する。VNFのインスタンス化が完了したと決定すると、NMは、構成フィードバックメッセージに従ってVNFのアプリケーションパラメータの構成結果を学習し、その構成結果に従ってVNFの処理方針を決定することにより、NMがVNFを使用してNSを構成するようにNFVOに命令するときに、アプリケーションパラメータの構成に失敗したVNFによって構成されたNSが正常に動作することができないという問題を回避することができる。さらに、VNFのアプリケーションパラメータの構成に失敗した場合には、VNFが占有するリソースを解放するようにNMがNFVOに命令して、アプリケーションパラメータの構成に失敗したVNFが占有するリソースの無駄の問題を回避する。その後、リソースは完全に使用され、リソースの使用率が改善される。
【０１４７】
本発明の一実施形態は、VNF処理方針を決定する方法を提供する。図11Aおよび図11Bに示すように、管理ノードがNMである場合には、この方法は以下のステップを含むことができる。
【０１４８】
S601：VNFMは、VNFインスタンス化完了メッセージをEMに送信する。
【０１４９】
S602：VNFインスタンス化完了メッセージを受信した後、EMはアプリケーションパラメータ構成メッセージをVNFに送信する。
【０１５０】
S603：アプリケーションパラメータ構成メッセージを受信した後に、VNFは、アプリケーションパラメータ構成メッセージに従ってVNFのアプリケーションパラメータを構成し、VNFのアプリケーションパラメータの構成結果を決定する。
【０１５１】
S604：VNFは、構成結果に従って構成フィードバックメッセージを生成する。
【０１５２】
S605：VNFは構成フィードバックメッセージをEMに送信する。
【０１５３】
具体的には、本発明のこの本実施形態におけるS601〜S605の実施は、S401〜S405の実施と同じである。詳細は、S401〜S405の関連する説明を参照されたい。したがって、ここでは詳細については再度の説明を省略する。
【０１５４】
S606：構成フィードバックメッセージを受信した後に、EMは、構成フィードバックメッセージを保存する。
【０１５５】
具体的には、構成フィードバックメッセージを受信した後に、EMは、構成フィードバックメッセージと、構成フィードバックメッセージを送信するVNFの識別子との間の対応関係を保存する。VNFの識別子は、構成フィードバックメッセージで運ばれてもよい。すなわち、EMによって受信され、VNFによって送信される構成フィードバックメッセージがVNFの識別子を運ぶ場合には、EMは構成フィードバックメッセージを直接保存することができる。あるいは、VNFの識別子は、EMによって保存されたVNF識別子からEMによって選択されてもよい。すなわち、EMによって受信され、VNFによって送信された構成フィードバックメッセージがVNFの識別子を運ばない場合には、EMは、EMによって保存されたVNF識別子からVNFの識別子を選択し、VNFの識別子と構成フィードバックメッセージとの間の対応関係を保存することができる。
【０１５６】
S607：VNFMは、VNFインスタンス化完了メッセージをNFVOに送信する。
【０１５７】
S608：VNFインスタンス化完了メッセージを受信した後に、NFVOは、VNFインスタンス化完了メッセージをNMに送信する。
【０１５８】
S609：VNFインスタンス化完了メッセージを受信した後に、NMは検索メッセージをEMに送信し、検索メッセージはVNFの識別子を運ぶ。
【０１５９】
本発明のこの実施形態では、NMがVNFインスタンス化完了メッセージを受信し、VNFのインスタンス化が完了したと決定した後に、NMは、VNFの識別子を運ぶ検索メッセージをEMに送信し、VNFの識別子に対応する構成フィードバックメッセージを検索するようにEMに命令して、VNFのアプリケーションパラメータの構成結果を知ることができる。
【０１６０】
S610：検索メッセージを受信した後に、EMは、VNFの識別子に従って、EMによって保存された複数の構成フィードバックメッセージからVNFの識別子に対応する構成フィードバックメッセージを検索する。
【０１６１】
S611：EMは構成フィードバックメッセージをNMに送信する。
【０１６２】
S612：構成フィードバックメッセージを受信した後に、NMは構成フィードバックメッセージに従ってVNFの処理方針を決定する。
【０１６３】
具体的には、本発明のこの実施形態におけるS612の実施は、S509の実施と同じである。詳細については、S509の関連する説明を参照されたい。したがって、ここでは詳細については再度の説明を省略する。
【０１６４】
本発明のこの実施形態において提供されるVNF処理方針を決定する方法では、VNFが、アプリケーションパラメータの構成結果に従って構成フィードバックメッセージを生成して、構成フィードバックメッセージをEMに送信することができ、EMが構成フィードバックメッセージを保存する。次に、VNFのインスタンス化が完了したと決定した後に、NMは構成フィードバックメッセージを検索するようにEMに命令し、EMによって送信された構成フィードバックメッセージを受信する。VNFのインスタンス化が完了したと決定すると、NMは、構成フィードバックメッセージに従ってVNFのアプリケーションパラメータの構成結果を学習し、その構成結果に従ってVNFの処理方針を決定して、NMがVNFを使用してNSを構成するようにNFVOに命令するときに、アプリケーションパラメータの構成に失敗したVNFから構成されるNSが正常に動作することができないという問題を回避する。
【０１６５】
任意選択的に、図7、図10A、図10B、ならびに図11Aおよび図11Bに示すVNF処理方針を決定する方法において、VNFのアプリケーションパラメータの失敗した構成は、VNFMがVNFのインスタンス化を完了した後の特定の期間に、EMによって送信されたアプリケーションパラメータ構成メッセージをVNFが全く受信しないことをさらに意味する。すなわち、VNFMがVNFのインスタンス化を完了した後に、VNFがEMによって送信されたアプリケーションパラメータ構成メッセージを特定の期間に受信しなかった場合には、VNFは、VNFのアプリケーションパラメータの構成に失敗したことを決定し、構成フィードバックメッセージを生成し、構成フィードバックメッセージをEMに送信することができる。構成フィードバックメッセージは、VNFのアプリケーションパラメータの構成に失敗したことを示すために使用される。EMが構成フィードバックメッセージをNMまたはVNFMに送信した後に、VNFMまたはNMは、構成フィードバックメッセージに従って、VNFが占有するリソースを解放するようにNFVOに適時に命令することができる。したがって、これにより、アプリケーションパラメータの構成に失敗したVNFによって占有されるリソースの無駄という問題が回避される。その後、リソースは完全に使用され、リソースの使用率が改善される。
【０１６６】
本発明の一実施形態は、VNF処理方針を決定する方法を提供する。図12Aおよび図12Bに示すように、管理ノードがNMである場合には、この方法は以下のステップを含むことができる。
【０１６７】
S701：VNFMは、VNFインスタンス化完了メッセージをEMに送信する。
【０１６８】
具体的には、VNFのインスタンス化を完了した後、VNFMは、VNFインスタンス化完了メッセージをEMに送信して、VNFのインスタンス化が完了したことをEMに通知する。
【０１６９】
VNFMによってVNFをインスタンス化する具体的なプロセスについては、VNFMによってVNFをインスタンス化する既存の標準で定義されているプロセスを参照されたい。詳細についてはここでは説明しない。
【０１７０】
S702：VNFMは、VNFインスタンス化完了メッセージをNFVOに送信する。
【０１７１】
具体的には、VNFMがVNFのインスタンス化を完了した後に、VNFMはVNFインスタンス化完了メッセージをNFVOにさらに送信して、VNFのインスタンス化が完了したことをNFVOに通知する。次に、VNFインスタンス化完了メッセージを受信した後に、NFVOは、VNFのインスタンス化が完了したと決定し、VNFのインスタンス化が完了したことをNMに通知することができる。
【０１７２】
S703：VNFインスタンス化完了メッセージを受信した後に、NFVOは、VNFインスタンス化完了メッセージをNMに送信する。
【０１７３】
S704：VNFインスタンス化完了メッセージを受信した後に、NMは、VNFアプリケーションパラメータ構成通知メッセージをEMに送信する。
【０１７４】
VNFアプリケーションパラメータ構成通知メッセージは、VNFの識別子を運ぶことができる。
【０１７５】
さらに、本発明のこの実施形態では、NMは、受信したVNFインスタンス化完了メッセージに従って、VNFのインスタンス化が完了したことを決定する。NMがVNFを使用する必要があると判断すると、NMは、VNFの識別子を運ぶVNFアプリケーションパラメータ構成通知メッセージをEMに送信して、VNFのアプリケーションパラメータを構成するようにEMに命令する。すなわち、本発明のこの実施形態では、VNFMによって送信されたVNFインスタンス化完了メッセージを受信した後に、EMはVNFのためのアプリケーションパラメータを直ちに構成せず、NMによって送信されたVNFアプリケーションパラメータ構成通知メッセージが受信された後に、VNFアプリケーションパラメータ構成通知メッセージの命令に従ってVNFのアプリケーションパラメータを構成する。
【０１７６】
S705：VNFアプリケーションパラメータ構成通知メッセージを受信した後に、EMはアプリケーションパラメータ構成メッセージをVNFに送信する。
【０１７７】
S706：アプリケーションパラメータ構成メッセージを受信した後に、VNFは、アプリケーションパラメータ構成メッセージに従ってVNFのアプリケーションパラメータを構成し、VNFのアプリケーションパラメータの構成結果を決定する。
【０１７８】
S707：VNFは、構成結果に従って構成フィードバックメッセージを生成する。
【０１７９】
S708：VNFは構成フィードバックメッセージをEMに送信する。
【０１８０】
具体的には、本発明のこの実施形態におけるS705〜S708の実施は、S502〜S505の実施と同じである。本発明のこの実施形態のS705では、NMが送信したVNFアプリケーションパラメータ構成通知メッセージを受信した後に、EMが、VNFアプリケーションパラメータ構成通知メッセージの命令に従って、VNFのアプリケーションパラメータを構成するという違いがある。しかし、S502では、EMは、VNFMによって送信されたVNFインスタンス化完了メッセージを受信し、VNFのインスタンス化が完了したことを決定した後に、VNFのアプリケーションパラメータを構成する。
【０１８１】
さらに、S705〜S708の具体的な実施については、S502〜S505の関連する説明を参照されたい。したがって、ここでは詳細については再度の説明を省略する。
【０１８２】
S709：構成フィードバックメッセージを受信した後に、EMは構成フィードバックメッセージをNMに送信する。
【０１８３】
S710：構成フィードバックメッセージを受信した後に、NMは構成フィードバックメッセージに従ってVNFの処理方針を決定する。
【０１８４】
具体的には、S709およびS710の実施は、S508およびS509の実施と同じである。詳細については、S508およびS509の関連する説明を参照されたい。したがって、ここでは詳細についての説明を省略する。
【０１８５】
本発明のこの実施形態において提供されるVNF処理方針を決定する方法では、EMは、NMによって送信されたVNFアプリケーションパラメータ構成通知メッセージに従って、アプリケーションパラメータ構成メッセージをVNFに送信し、VNFは、アプリケーションパラメータ構成メッセージに従ってVNFのアプリケーションパラメータを構成する。VNFは、VNFのアプリケーションパラメータの構成結果に従って構成フィードバックメッセージを生成し、構成フィードバックメッセージをEMに送信する。EMがVNFによって送信された構成フィードバックメッセージを受信した後に、EMが構成フィードバックメッセージをNMに送信して、NMは、構成フィードバックメッセージに従ってVNFのアプリケーションパラメータの構成結果を学習し、構成結果に従ってVNFの処理方針を決定する。これにより、NMがVNFを使用してNSを構成するようにNFVOに命令するときに、アプリケーションパラメータの構成に失敗したVNFから構成されたNSが正常に動作することができないという問題を回避することができる。
【０１８６】
本発明の一実施形態は、VNF処理方針を決定する方法を提供する。管理ノードがNMである場合には、図13に示すように、本方法は、以下のステップを含むことができる。
【０１８７】
S801：VNFMは、VNFインスタンス化完了メッセージをNFVOに送信する。
【０１８８】
具体的には、VNFのインスタンス化を完了した後、VNFMは、VNFインスタンス化完了メッセージをNFVOに送信して、VNFのインスタンス化が完了したことをNFVOに通知する。
【０１８９】
VNFMによってVNFをインスタンス化する具体的なプロセスについては、従来技術のVNFMによってVNFをインスタンス化するプロセスを参照されたい。したがって、ここでは詳細についての説明を省略する。
【０１９０】
S802：VNFインスタンス化完了メッセージを受信した後に、NFVOは、VNFインスタンス化完了メッセージをNMに送信する。
【０１９１】
S803：VNFインスタンス化完了メッセージを受信した後に、NMは、VNFインスタンス化完了メッセージをEMに送信する。
【０１９２】
本発明のこの実施形態では、NMがVNFインスタンス化完了メッセージを受信し、VNFのインスタンス化が完了したと決定した後に、NMはVNFインスタンス化完了メッセージをEMに送信して、VNFのインスタンス化が完了したことをEMに通知することに留意されたい。すなわち、本発明のこの実施形態では、VNFのインスタンス化を完了した後に、VNFMは、VNFのインスタンス化が完了したことをEMに通知しない。代わりに、VNFMがVNFインスタンス化完了メッセージをNMに送信して、VNFのインスタンス化が完了したことをNMに通知した後に、NMはVNFのインスタンス化が完了したことをEMに通知する。
【０１９３】
S804：VNFインスタンス化完了メッセージを受信した後、EMはアプリケーションパラメータ構成メッセージをVNFに送信する。
【０１９４】
S805：アプリケーションパラメータ構成メッセージを受信した後に、VNFは、アプリケーションパラメータ構成メッセージに従ってVNFのアプリケーションパラメータを構成し、VNFのアプリケーションパラメータの構成結果を決定する。
【０１９５】
S806：VNFは、構成結果に従って構成フィードバックメッセージを生成する。
【０１９６】
S807：VNFは構成フィードバックメッセージをEMに送信する。
【０１９７】
具体的には、本発明のこの本実施形態におけるS804〜S807の実施は、S402〜S405の実施と同じである。詳細は、S402〜S405の関連する説明を参照されたい。したがって、ここでは詳細については再度の説明を省略する。
【０１９８】
S808：構成フィードバックメッセージを受信した後に、EMは構成フィードバックメッセージをNMに送信する。
【０１９９】
S809：構成フィードバックメッセージを受信した後に、NMは構成フィードバックメッセージに従ってVNFの処理方針を決定する。
【０２００】
具体的には、S808およびS809の実施は、S508およびS509の実施と同じである。詳細については、S508およびS509の関連する説明を参照されたい。したがって、ここでは詳細については再度の説明を省略する。
【０２０１】
本発明のこの実施形態で提供されるVNF処理方針を決定する方法では、NMがVNFのインスタンス化が完了したと決定した後に、NMはVNFのインスタンス化が完了したことをEMに通知し、EMはアプリケーションパラメータ構成メッセージをVNFに送信して、VNFのアプリケーションパラメータを構成するようにVNFに命令する。VNFによって送信された構成フィードバックメッセージを受信した後に、EMは構成フィードバックメッセージをNMに送信し、NMは、構成フィードバックメッセージに従ってVNFのアプリケーションパラメータの構成結果を学習し、その構成結果に従ってVNFの処理方針を決定する。これにより、NMがVNFを使用してNSを構成するようにNFVOに命令するときに、アプリケーションパラメータの構成に失敗したVNFから構成されたNSが正常に動作することができないという問題を回避することができる。
【０２０２】
本発明のこの実施形態は、VNF処理方針を決定する方法を提供し、本方法は、管理ノードによって、EMにより送信された構成フィードバックメッセージを受信するステップと、管理ノードによって、構成フィードバックメッセージに従ってVNFの処理方針を決定するステップと、を具体的に含む。構成フィードバックメッセージは、VNFのアプリケーションパラメータが正常に構成されているかどうかを示すために使用され、処理方針はVNFを処理するために管理ノードによって使用される。本方法によれば、管理ノードは、EMにより送信された構成フィードバックメッセージに従って、VNFのアプリケーションパラメータの構成結果を知ることができ、その構成結果に従って、VNFの処理方針を決定することができる。これにより、EMがVNFのアプリケーションパラメータの構成に失敗した場合に、VNFによって構成されたNSが正常に動作できないという問題が回避される。
【０２０３】
実施形態3
図14に示すように、本発明の一実施形態は、管理ノードを提供し、管理ノードは、EMによって送信された構成フィードバックメッセージを受信するように構成された受信部10であって、構成フィードバックメッセージは、VNFのアプリケーションパラメータが正常に構成されたかどうかを示すために使用される、受信部10と、
受信部10によって受信された構成フィードバックメッセージに従ってVNFの処理方針を決定するように構成された処理部11であって、処理方針は、VNFを処理するために処理部11によって使用される、処理部と
を含むことができる。
【０２０４】
任意選択的に、管理ノードはNMである。
【０２０５】
受信部10によって受信された構成フィードバックメッセージが、VNFのアプリケーションパラメータが正常に構成されたことを示す場合には、処理部11によって決定された処理方針は、処理部11がNFVOにVNFを使用してネットワークサービスNSを構成するように命令することである。
【０２０６】
受信部10によって受信された構成フィードバックメッセージが、VNFのアプリケーションパラメータを構成することに失敗したことを示す場合には、処理部11によって決定される処理方針は、処理部11がNFVOにVNFによって占有されているリソースを解放するように命令することである。
【０２０７】
任意選択的に、図14を参照して、図15に示すように、管理ノードはNMであり、NMはさらに送信部12を含む。
【０２０８】
送信部12は、受信部10がEMによって送信された構成フィードバックメッセージを受信する前に、EMに検索メッセージを送信するように構成される。検索メッセージは、VNFの識別子を運び、検索メッセージは、VNFの識別子に対応する構成フィードバックメッセージを検索するようにEMに命令するために使用される。
【０２０９】
任意選択的に、図15に示すように、NMは送信部12をさらに含む。
【０２１０】
送信部12は、受信部10がEMによって送信された構成フィードバックメッセージを受信する前に、VNFアプリケーションパラメータ構成通知メッセージをEMに送信するように構成される。VNFアプリケーションパラメータ構成通知メッセージは、VNFのアプリケーションパラメータを構成するようにEMに命令するために使用される。
【０２１１】
任意選択的に、図15に示すように、NMは送信部12をさらに含む。
【０２１２】
送信部12は、受信部10がEMによって送信された構成フィードバックメッセージを受信する前に、VNFインスタンス化完了メッセージをEMに送信するように構成される。VNFインスタンス化完了メッセージは、VNFのインスタンス化が完了したことを示すために使用される。
【０２１３】
任意選択的に、管理ノードはVNFMである。
【０２１４】
受信部10によって受信された構成フィードバックメッセージが、VNFのアプリケーションパラメータが正常に構成されていることを示す場合には、処理部11によって決定される処理方針は、処理部11がNFVOを使用してVNFインスタンス化完了メッセージをNMに送信し、NMが、VNFインスタンス化完了メッセージに従って、VNFを使用してNSを構成するようにNFVOに命令することである。
【０２１５】
受信部10によって受信された構成フィードバックメッセージが、VNFのアプリケーションパラメータを構成することに失敗したことを示す場合には、処理部11によって決定される処理方針は、処理部11がNFVOにVNFによって占有されているリソースを解放するように命令することである。
【０２１６】
本発明のこの実施形態は、管理ノードを提供する。管理ノードは、EMによって送信された構成フィードバックメッセージを受信し、構成フィードバックメッセージに従ってVNFの処理方針を決定することができる。構成フィードバックメッセージは、VNFのアプリケーションパラメータが正常に構成されているかどうかを示すために使用され、処理方針はVNFを処理するために管理ノードによって使用される。本発明のこの実施形態で提供される管理ノードは、EMにより送信された構成フィードバックメッセージに従って、VNFのアプリケーションパラメータの構成結果を知ることができ、構成結果、すなわち、VNFのアプリケーションパラメータが正常に構成されているか否かに従って、VNFの対応する処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２１７】
図16に示すように、本発明の一実施形態はEMを提供し、EMは、アプリケーションパラメータ構成メッセージをVNFに送信するように構成された送信部20であって、アプリケーションパラメータ構成メッセージは、VNFのアプリケーションパラメータを構成するようにVNFに命令するために使用される、送信部20と、
VNFによって送信された構成フィードバックメッセージを受信するように構成された受信部21であってき、構成フィードバックメッセージは、VNFのアプリケーションパラメータが正常に構成されたかどうかを示すために使用される、受信部21と
を含むことができる。
【０２１８】
送信部20は、受信部21によって受信された構成フィードバックメッセージを管理ノードに送信するようにさらに構成される。構成フィードバックメッセージは、VNFの処理方針を決定するために管理ノードによって使用され、処理方針は、VNFを処理するために管理ノードによって使用される。
【０２１９】
任意選択的に、図16を参照して、図17に示すように、管理ノードはNMであり、EMは検索部22をさらに含む。
【０２２０】
受信部21は、送信部20が構成フィードバックメッセージを管理ノードに送信する前に、NMによって送信された検索メッセージを受信するようにさらに構成される。検索メッセージは、VNFの識別子を運び、検索メッセージは、VNFの識別子に対応する構成フィードバックメッセージを検索するように検索部22に命令するために使用される。
【０２２１】
検索部22は、VNFの識別子に従って、複数の保存された構成フィードバックメッセージからVNFの識別子に対応する構成フィードバックメッセージを検索するように構成される。
【０２２２】
任意選択的に、管理ノードはNMである。
【０２２３】
受信部21は、送信部20がアプリケーションパラメータ構成メッセージをVNFに送信する前に、NMまたはVNFMによって送信されたVNFアプリケーションパラメータ構成通知メッセージを受信するようにさらに構成される。VNFアプリケーションパラメータ構成通知メッセージは、VNFのアプリケーションパラメータを構成するようにEMに命令するために使用される。
【０２２４】
送信部20は、構成フィードバックメッセージをNMに送信するように具体的に構成される。
【０２２５】
任意選択的に、管理ノードはNMである。
【０２２６】
受信部21は、送信部20がアプリケーションパラメータ構成メッセージをVNFに送信する前に、NMによって送信されたVNFインスタンス化完了メッセージを受信するようにさらに構成される。VNFインスタンス化完了メッセージは、VNFのインスタンス化が完了したことを示すために使用される。
【０２２７】
送信部20は、構成フィードバックメッセージをNMに送信するように具体的に構成される。
【０２２８】
任意選択的に、管理ノードはVNFMである。
【０２２９】
受信部21は、送信部20がアプリケーションパラメータ構成メッセージをVNFに送信する前に、VNFMによって送信されたVNFインスタンス化完了メッセージを受信するようにさらに構成される。VNFインスタンス化完了メッセージは、VNFのインスタンス化が完了したことを示すために使用される。
【０２３０】
送信部20は、構成フィードバックメッセージをVNFMに送信するように具体的に構成される。
【０２３１】
本発明のこの実施形態はEMを提供する。EMは、アプリケーションパラメータ構成メッセージをVNFに送信し、VNFによって送信された構成フィードバックメッセージを受信し、構成フィードバックメッセージを管理ノードに送信することができる。アプリケーションパラメータ構成メッセージは、VNFのアプリケーションパラメータを構成するようにVNFに命令するために使用される。構成フィードバックメッセージは、VNFのアプリケーションパラメータが正常に構成されているかどうかを示すために使用される。構成フィードバックメッセージは、VNFの処理方針を決定するために管理ノードによって使用され、処理方針は、VNFを処理するために管理ノードによって使用される。本発明のこの実施形態で提供されるEMは、VNFによって送信された構成フィードバックメッセージを受信し、管理ノードに構成フィードバックメッセージを送信することができるので、管理ノードは、構成フィードバックメッセージに従ってVNFのアプリケーションパラメータの構成結果を知ることができ、その構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２３２】
図18に示すように、本発明の一実施形態はVNFを提供し、VNFは、要素マネージャEMによって送信されたアプリケーションパラメータ構成メッセージを受信するように構成された受信部30であって、アプリケーションパラメータ構成メッセージは、VNFのアプリケーションパラメータを構成するようにVNFに命令するために使用される、受信部30と、
アプリケーションパラメータを構成した結果に従って、VNFによって構成フィードバックメッセージを生成するように構成された生成部31であって、構成フィードバックメッセージは、VNFのアプリケーションパラメータが正常に構成されたかどうかを示すために使用される、生成部31と、
生成部31によって生成された構成フィードバックメッセージをEMに送信するように構成された送信部32であって、EMは、構成フィードバックメッセージを管理ノードに送信し、構成フィードバックメッセージは、管理ノードによってVNFの処理方針を決定するために使用され、処理方針は、管理ノードによってVNFを処理するために使用される、送信部31と
を含む。
【０２３３】
任意選択的に、生成部31によって生成された構成フィードバックメッセージは、VNFの識別子を運び、VNFの識別子は、EM、管理ノード、またはNFVOによってVNFに割り当てられる。
【０２３４】
本発明のこの実施形態は、VNFを提供する。VNFは、EMによって送信されたアプリケーションパラメータ構成メッセージを受信し、VNFによってアプリケーションパラメータを構成した結果に従って構成フィードバックメッセージを生成することができる。さらに、VNFは構成フィードバックメッセージをEMに送信する。アプリケーションパラメータ構成メッセージは、アプリケーションパラメータを構成するようにVNFに命令するために使用され、構成フィードバックメッセージは、VNFのアプリケーションパラメータが正常に構成されたかどうかを示すために使用される。本発明のこの実施形態で提供されるVNFは、アプリケーションパラメータを構成した結果に従って構成フィードバックメッセージを生成し、構成フィードバックメッセージをEMに送信することができる。EMが構成フィードバックメッセージを受信した後、EMは構成フィードバックメッセージを管理ノードに送信するので、管理ノードは構成フィードバックメッセージに従ってVNFのアプリケーションパラメータの構成結果を知ることができ、構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２３５】
実施形態4
図19に示すように、本発明の一実施形態は管理ノードを提供し、管理ノードは、プロセッサ40、メモリ41、通信インターフェース42、およびシステムバス43を含むことができる。プロセッサ40と、メモリ41と、通信インターフェース42とは、システムバス43を用いて互いに接続され、通信を行う。
【０２３６】
プロセッサ40は、中央処理装置（英語：central processing unit、略してCPU）、または特定用途向け集積回路（英語：application specific integrated circuit、略してASIC）であってもよく、あるいは本発明のこの実施形態を実現する1つまたは複数の集積回路として構成されてもよい。
【０２３７】
メモリ41は、揮発性メモリ（英語：volatile memory）、例えばランダムアクセスメモリ（英語：random-access memory、略してRAM）を含むことができる。あるいは、メモリ41は、不揮発性メモリ（英語：non-volatile memory）、例えば、読み出し専用メモリ（英語：read-only memory、略してROM）、フラッシュメモリ（英語：flash memory）、ハードディスクドライブ（英語：hard disk drive、略してHDD）、またはソリッドステートドライブ（英語：solid-state drive、略してSSD）を含んでもよい。あるいは、メモリ41は、前述のタイプのメモリの組み合わせを含んでもよい。
【０２３８】
通信インターフェース42は、別のノードとの対話、例えばEMとの対話のために使用される。
【０２３９】
管理ノードが動作しているときに、プロセッサ40およびメモリ41は、図2または図5〜図13のいずれか1つに示す方法手順を実行することができる。詳細は以下の通りである。
【０２４０】
プロセッサ40は、EMによって送信された構成フィードバックメッセージを受信し、構成フィードバックメッセージに従ってVNFの処理方針を決定するように構成される。構成フィードバックメッセージは、VNFのアプリケーションパラメータが正常に構成されているかどうかを示すために使用され、処理方針は、プロセッサによってVNFを処理するために使用される。メモリ41は、構成フィードバックメッセージのコードおよび処理方針のコードを格納し、プロセッサ40を制御して前述のプロセスにおいてソフトウェアプログラムを完成させるように構成され、プロセッサ40は、ソフトウェアプログラムを実行し、構成フィードバックメッセージのコードおよび処理方針のコードを呼び出すことによって、前述のプロセスを完了する。
【０２４１】
プロセッサ40は、通信インターフェース42を使用して関連するメッセージをEMに送信し、通信インターフェース42を使用して、EMによって送信された関連するメッセージを受信することに留意されたい。
【０２４２】
任意選択的に、管理ノードはNMである。
【０２４３】
プロセッサ40によって受信された構成フィードバックメッセージが、VNFのアプリケーションパラメータが正常に構成されたことを示す場合には、プロセッサ40によって決定された処理方針は、プロセッサ40がNFVOにVNFを使用してネットワークサービスNSを構成するように命令することである。
【０２４４】
プロセッサ40によって受信された構成フィードバックメッセージが、VNFのアプリケーションパラメータを構成することに失敗したことを示す場合には、プロセッサ40によって決定される処理方針は、プロセッサ40がNFVOにVNFによって占有されているリソースを解放するように命令することである。
【０２４５】
任意選択的に、管理ノードはNMである。
【０２４６】
プロセッサ40は、EMによって送信された構成フィードバックメッセージを受信する前に、検索メッセージをEMに送信するようにさらに構成される。検索メッセージは、VNFの識別子を運び、検索メッセージは、VNFの識別子に対応する構成フィードバックメッセージを検索するようにEMに命令するために使用される。
【０２４７】
任意選択的に、管理ノードはNMである。
【０２４８】
プロセッサ40は、EMによって送信された構成フィードバックメッセージを受信する前に、VNFアプリケーションパラメータ構成通知メッセージをEMに送信するようにさらに構成される。VNFアプリケーションパラメータ構成通知メッセージは、VNFのアプリケーションパラメータを構成するようにEMに命令するために使用される。
【０２４９】
任意選択的に、管理ノードはNMである。
【０２５０】
プロセッサ40は、EMによって送信された構成フィードバックメッセージを受信する前に、VNFインスタンス化完了メッセージをEMに送信するようにさらに構成される。VNFインスタンス化完了メッセージは、VNFのインスタンス化が完了したことを示すために使用される。
【０２５１】
任意選択的に、管理ノードはVNFMである。
【０２５２】
プロセッサ40によって受信された構成フィードバックメッセージが、VNFのアプリケーションパラメータが正常に構成されていることを示す場合には、プロセッサ40によって決定される処理方針は、プロセッサ40がNFVOを使用してVNFインスタンス化完了メッセージをNMに送信し、NMが、VNFインスタンス化完了メッセージに従って、VNFを使用してNSを構成するようにNFVOに命令することである。
【０２５３】
プロセッサ40によって受信された構成フィードバックメッセージが、VNFのアプリケーションパラメータを構成することに失敗したことを示す場合には、プロセッサ40によって決定される処理方針は、プロセッサ40がNFVOにVNFによって占有されているリソースを解放するように命令することである。
【０２５４】
本発明のこの実施形態は、管理ノードを提供する。管理ノードは、EMによって送信された構成フィードバックメッセージを受信し、構成フィードバックメッセージに従ってVNFの処理方針を決定することができる。構成フィードバックメッセージは、VNFのアプリケーションパラメータが正常に構成されているかどうかを示すために使用され、処理方針はVNFを処理するために管理ノードによって使用される。本発明のこの実施形態で提供される管理ノードは、EMにより送信された構成フィードバックメッセージに従って、VNFのアプリケーションパラメータの構成結果を知ることができ、構成結果、すなわち、VNFのアプリケーションパラメータが正常に構成されているか否かに従って、VNFの対応する処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２５５】
図20に示すように、本発明の一実施形態はEMを提供し、EMは、プロセッサ50、メモリ51、通信インターフェース52、およびシステムバス53を含むことができる。プロセッサ50と、メモリ51と、通信インターフェース52とは、システムバス53を用いて互いに接続され、通信を行う。
【０２５６】
プロセッサ50は、CPUまたはASICであってもよいし、本発明のこの実施形態を実現する1つまたは複数の集積回路として構成されてもよい。
【０２５７】
メモリ51は、RAMなどの揮発性メモリを含むことができる。あるいは、メモリ51は、ROM、フラッシュメモリ、HDD、またはSSDなどの不揮発性メモリを含むことができる。あるいは、メモリ51は、前述のタイプのメモリの組み合わせを含むことができる。
【０２５８】
通信インターフェース52は、別のノードとの対話、例えば管理ノードとの対話のために使用される。
【０２５９】
EMが動作しているとき、プロセッサ50およびメモリ51は、図3または図5〜図13のいずれか1つに示す方法手順を実行することができる。詳細は以下の通りである。
【０２６０】
プロセッサ50は、アプリケーションパラメータ構成メッセージをVNFに送信し、VNFによって送信された構成フィードバックメッセージを受信し、構成フィードバックメッセージを管理ノードに送信するように構成される。アプリケーションパラメータ構成メッセージは、VNFのアプリケーションパラメータを構成するようにVNFに命令するために使用される。構成フィードバックメッセージは、VNFのアプリケーションパラメータが正常に構成されているかどうかを示すために使用される。構成フィードバックメッセージは、VNFの処理方針を決定するために管理ノードによって使用され、処理方針は、VNFを処理するために管理ノードによって使用される。メモリ51は、アプリケーションパラメータ構成メッセージのコードおよび構成フィードバックメッセージのコードを格納し、プロセッサ50を制御して前述のプロセスにおいてソフトウェアプログラムを完成させるように構成され、プロセッサ50は、ソフトウェアプログラムを実行し、アプリケーションパラメータ構成メッセージのコードおよび構成フィードバックメッセージのコードを呼び出すことによって、前述のプロセスを完了する。
【０２６１】
プロセッサ50は、通信インターフェース52を使用してEMに関連するメッセージを送信し、通信インターフェース52を使用して、EMによって送信された関連するメッセージを受信することに留意されたい。
【０２６２】
任意選択的に、管理ノードはNMである。
【０２６３】
プロセッサ50は、構成フィードバックメッセージをNMに送信する前に、NMによって送信された検索メッセージを受信するようにさらに構成される。検索メッセージは、VNFの識別子を運び、検索メッセージは、VNFの識別子に対応する構成フィードバックメッセージを検索するようにプロセッサ50に命令するために使用される。
【０２６４】
プロセッサ50は、複数の保存された構成フィードバックメッセージからVNFの識別子に対応する構成フィードバックメッセージを、VNFの識別子に従って検索するように具体的に構成される。
【０２６５】
任意選択的に、管理ノードはNMである。
【０２６６】
プロセッサ50は、アプリケーションパラメータ構成メッセージをVNFに送信する前に、NMによって送信されたVNFアプリケーションパラメータ構成通知メッセージを受信するようにさらに構成される。VNFアプリケーションパラメータ構成通知メッセージは、VNFのアプリケーションパラメータを構成するようにプロセッサ50に命令するために使用される。
【０２６７】
プロセッサ50は、構成フィードバックメッセージをNMに送信するように具体的に構成される。
【０２６８】
任意選択的に、管理ノードはNMである。
【０２６９】
プロセッサ50は、アプリケーションパラメータ構成メッセージをVNFに送信する前に、NMまたはVNFMによって送信されたVNFインスタンス化完了メッセージを受信するようにさらに構成される。VNFインスタンス化完了メッセージは、VNFのインスタンス化が完了したことを示すために使用される。
【０２７０】
プロセッサ50は、構成フィードバックメッセージをNMに送信するように具体的に構成される。
【０２７１】
任意選択的に、管理ノードはVNFMである。
【０２７２】
プロセッサ50は、アプリケーションパラメータ構成メッセージをVNFに送信する前に、VNFMによって送信されたVNFインスタンス化完了メッセージを受信するようにさらに構成される。VNFインスタンス化完了メッセージは、VNFのインスタンス化が完了したことを示すために使用される。
【０２７３】
プロセッサ50は、構成フィードバックメッセージをVNFMに送信するように具体的に構成される。
【０２７４】
本発明のこの実施形態はEMを提供する。EMは、アプリケーションパラメータ構成メッセージをVNFに送信し、VNFによって送信された構成フィードバックメッセージを受信し、構成フィードバックメッセージを管理ノードに送信することができる。アプリケーションパラメータ構成メッセージは、VNFのアプリケーションパラメータを構成するようにVNFに命令するために使用される。構成フィードバックメッセージは、VNFのアプリケーションパラメータが正常に構成されているかどうかを示すために使用される。構成フィードバックメッセージは、VNFの処理方針を決定するために管理ノードによって使用され、処理方針は、VNFを処理するために管理ノードによって使用される。本発明のこの実施形態で提供されるEMは、VNFによって送信された構成フィードバックメッセージを受信し、管理ノードに構成フィードバックメッセージを送信することができるので、管理ノードは、構成フィードバックメッセージに従ってVNFのアプリケーションパラメータの構成結果を知ることができ、その構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２７５】
図21に示すように、本発明の一実施形態はVNFを提供し、VNFは、プロセッサ60、メモリ61、通信インターフェース62、およびシステムバス63を含むことができる。プロセッサ60と、メモリ61と、通信インターフェース62とは、システムバス63を用いて互いに接続され、通信を行う。
【０２７６】
プロセッサ60は、CPUまたはASICであってもよいし、本発明のこの実施形態を実施する1つまたは複数の集積回路として構成されてもよい。
【０２７７】
メモリ61は、RAMなどの揮発性メモリを含むことができる。あるいは、メモリ61は、ROM、フラッシュメモリ、HDD、またはSSDなどの不揮発性メモリを含むことができる。あるいは、メモリ61は、前述のタイプのメモリの組み合わせを含むことができる。
【０２７８】
通信インターフェース62は、別のノードとの対話、例えばEMとの対話のために使用される。
【０２７９】
VNFが動作しているとき、プロセッサ60およびメモリ61は、図4〜図13のいずれか1つに示す方法手順を実行することができる。詳細は以下の通りである。
【０２８０】
プロセッサ60は、EMによって送信されたアプリケーションパラメータ構成メッセージを受信し、VNFによってアプリケーションパラメータを構成した結果に従って構成フィードバックメッセージを生成し、構成フィードバックメッセージをEMに送信するように構成される。EMは構成フィードバックメッセージを管理ノードに送信する。アプリケーションパラメータ構成メッセージは、VNFのアプリケーションパラメータを構成するようにプロセッサに命令するために使用される。構成フィードバックメッセージは、VNFのアプリケーションパラメータが正常に構成されているかどうかを示すために使用される。構成フィードバックメッセージは、VNFの処理方針を決定するために管理ノードによって使用され、処理方針は、VNFを処理するために管理ノードによって使用される。メモリ61は、アプリケーションパラメータ構成メッセージのコードと、構成フィードバックメッセージのコードと、VNFによるアプリケーションパラメータの構成結果のコードと、を格納し、プロセッサ60を制御して前述のプロセスにおいてソフトウェアプログラムを完成させるように構成され、プロセッサ60は、ソフトウェアプログラムを実行し、アプリケーションパラメータ構成メッセージのコードと、構成フィードバックメッセージのコードと、VNFによるアプリケーションパラメータの構成結果のコードと、を呼び出すことによって、前述のプロセスを完了する。
【０２８１】
プロセッサ60は、通信インターフェース62を使用してEMに関連するメッセージを送信し、通信インターフェース62を使用して、EMによって送信された関連するメッセージを受信することに留意されたい。
【０２８２】
任意選択的に、プロセッサ60によって生成された構成フィードバックメッセージは、VNFの識別子を運び、VNFの識別子は、EM、管理ノード、またはNFVOによってVNFに割り当てられる。
【０２８３】
本発明のこの実施形態は、VNFを提供する。VNFは、EMによって送信されたアプリケーションパラメータ構成メッセージを受信し、VNFによってアプリケーションパラメータを構成した結果に従って構成フィードバックメッセージを生成することができる。さらに、VNFは構成フィードバックメッセージをEMに送信する。アプリケーションパラメータ構成メッセージは、アプリケーションパラメータを構成するようにVNFに命令するために使用され、構成フィードバックメッセージは、VNFのアプリケーションパラメータが正常に構成されたかどうかを示すために使用される。本発明のこの実施形態で提供されるVNFは、アプリケーションパラメータを構成した結果に従って構成フィードバックメッセージを生成し、構成フィードバックメッセージをEMに送信することができる。EMが構成フィードバックメッセージを受信した後、EMは構成フィードバックメッセージを管理ノードに送信するので、管理ノードは構成フィードバックメッセージに従ってVNFのアプリケーションパラメータの構成結果を知ることができ、構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２８４】
実施形態5
図22に示すように、本発明の一実施形態は、通信システムを提供する。通信システムは、図14または図15に示す管理ノード、図16または図17に示すEM、ならびに図18に示すVNFを含むことができる。あるいは、本発明のこの実施形態で提供される通信システムは、図19に示す管理ノードと、図20に示すEMと、図21に示すVNFと、を含んでもよい。
【０２８５】
本発明のこの実施形態で提供される通信システムでは、管理ノードは、EMによって送信される構成フィードバックメッセージを受信し、構成フィードバックメッセージに従ってVNFの処理方針を決定することができる。EMは、アプリケーションパラメータ構成メッセージをVNFに送信し、VNFによって送信された構成フィードバックメッセージを受信し、構成フィードバックメッセージを管理ノードに送信することができる。VNFは、EMによって送信されたアプリケーションパラメータ構成メッセージを受信し、VNFによってアプリケーションパラメータを構成した結果に従って構成フィードバックメッセージを生成することができる。さらに、VNFは構成フィードバックメッセージをEMに送信する。アプリケーションパラメータ構成メッセージは、アプリケーションパラメータを構成するようにVNFに命令するために使用され、構成フィードバックメッセージは、VNFのアプリケーションパラメータが正常に構成されたかどうかを示すために使用され、処理方針は、VNFを処理するために管理ノードによって使用される。
【０２８６】
本発明のこの実施形態で提供される通信システムにおける管理ノードは、図14、図15または図19に示す管理ノードであり、図2、または図5〜図13のいずれか1つに示すVNF処理方針を決定する方法を実行することができる。管理ノード内の各モジュールまたは装置の方法実行手順または具体的な機能については、図2、または図5〜図13に示す実施形態の説明を参照されたく、ここでは再度の詳細な説明を省略する。
【０２８７】
本発明のこの実施形態で提供される通信システムにおけるEMは、図16、図17、または図20に示すEMであり、図3または図5〜図13のいずれか1つに示すVNF処理方針を決定する方法を実行することができる。EM内の各モジュールまたは装置の方法実行手順または具体的な機能については、図3、または図5〜図13に示す実施形態の説明を参照されたく、ここでは再度の詳細な説明を省略する。
【０２８８】
本発明のこの実施形態で提供される通信システムにおけるVNFは、図18または図21に示すVNFであり、図4〜図13のいずれか1つに示すVNF処理方針を決定する方法を実行することができる。VNF内の各モジュールまたは装置の方法実行手順または具体的な機能については、図4〜図13に示す実施形態の説明を参照されたく、ここでは再度の詳細な説明を省略する。
【０２８９】
管理ノードがNMである場合には、NMはVNFに直接接続されないことに留意されたい。管理ノードがVNFMの場合には、VNFMはVNFに接続される。
【０２９０】
本発明のこの実施形態で提供される通信システムによれば、VNFは、アプリケーションパラメータを構成した結果に従って構成フィードバックメッセージを生成し、構成フィードバックメッセージをEMに送信することができる。EMが構成フィードバックメッセージを受信した後、EMは構成フィードバックメッセージを管理ノードに送信するので、管理ノードは構成フィードバックメッセージに従ってVNFのアプリケーションパラメータの構成結果を知ることができ、構成結果、すなわち、VNFのアプリケーションパラメータが正常に構成されているか否かに従って、対応するVNFの処理方針を決定することができる。したがって、これにより、EMがVNFのアプリケーションパラメータを構成することに失敗し、NMがVNFが正常に動作できると依然としてみなしている場合に、VNFによって構成されたNSが正常に動作することができないという問題が回避される。
【０２９１】
当業者であれば、簡潔かつ簡単な説明のために、前述の機能モジュールの分割は例示のための一例として示してあることは明らかである。実際の応用では、前述の機能は異なる機能モジュールに割り当てられ、必要に応じて実現することができる。すなわち、装置の内部構成は、上述した機能のすべてまたは一部を実現するために異なる機能モジュールに分割される。前述のシステム、装置、およびユニットの詳細な動作プロセスについては、前述の方法の実施形態における対応するプロセスを参照することができ、詳細はここでは説明しない。
【０２９２】
本出願で提供されるいくつかの実施形態では、開示されたシステム、装置、および方法は、他の方法で実施することができることを理解されたい。例えば、記載した装置の実施形態は単なる一例にすぎない。例えば、モジュールまたはユニットの分割は、単なる論理機能の分割であって、実際の実施では他の分割であってもよい。例えば、複数のユニットまたは構成要素は、組み合わせてもよいし、あるいは別のシステムに統合してもよいし、あるいはいくつかの特徴は無視してもよいし、実行しなくてもよい。さらに、表示または説明された相互結合または直接結合または通信接続は、装置またはユニット間のいくつかのインターフェース、間接結合、もしくは通信接続、または電気的接続、機械的接続、もしくは他の形態の接続により実施することができる。
【０２９３】
個別の部品として記載されたユニットは物理的に分離されてもよいし、されなくてもよく、ユニットとして表示された部品は物理的なユニットであってもよいし、そうでなくてもよく、物理的なユニットは1つの場所に配置されてもよいし、複数のネットワークユニット上に分散されてもよい。ユニットの一部または全部は、実施形態の解決策の目的を達成するための実際的な要件に従って選択することができる。
【０２９４】
さらに、本発明の実施形態における機能ユニットは、1つの処理ユニットに統合してもよいし、あるいはユニットの各々が物理的に単独で存在してもよいし、あるいは2つ以上のユニットが1つのユニットに統合されてもよい。統合されたユニットは、ハードウェアの形態で実現されてもよいし、あるいは、ソフトウェア機能ユニットの形態で実現されてもよい。
【０２９５】
統合されたユニットがソフトウェア機能ユニットの形態で実現され、独立した製品として販売または使用される場合には、統合されたユニットはコンピュータ可読記憶媒体に格納することができる。このような理解に基づいて、従来技術に本質的に寄与する本発明もしくはその一部の技術的解決策、または技術的解決策のすべてもしくは一部は、ソフトウェア製品の形態で実現することができる。ソフトウェア製品は、記憶媒体に格納され、本発明の実施形態において説明された方法のステップのすべてまたは一部を実行するために、コンピュータデバイス（パーソナルコンピュータ、サーバ、またはネットワークデバイスであってもよい）またはプロセッサに命令するためのいくつかの命令を含む。上記の記憶媒体は、USBフラッシュドライブ、読み出し専用メモリ（英語の正式名称：Read-Only Memory、英語の頭字語：ROM）、ランダムアクセスメモリ（英語の正式名称：Random Access Memory、英語の頭字語：RAM）、磁気ディスク、または光ディスクなどの、プログラムコードを格納することができる任意の媒体を含む。
【０２９６】
上記の説明は、本発明の特定の実施にすぎず、本発明の保護範囲を限定するものではない。本発明において開示される技術的範囲内で当業者が容易に想到する変形または置換は、本発明の保護範囲内に含まれるものとする。したがって、本発明の保護範囲は、特許請求の範囲の保護範囲に従うものとする。
【符号の説明】
【０２９７】
10  受信部
11  処理部
12  送信部
20  送信部
21  受信部
22  検索部
30  受信部
31  生成部
32  送信部
40  プロセッサ
41  メモリ
42  通信インターフェース
43  システムバス
50  プロセッサ
51  メモリ
52  通信インターフェース
53  システムバス
60  プロセッサ
61  メモリ
62  通信インターフェース
63  システムバス
【図１】
0006430651.tif 000002
【図２】
0006430651.tif 000003
【図３】
0006430651.tif 000004
【図４】
0006430651.tif 000005
【図５】
0006430651.tif 000006
【図６】
0006430651.tif 000007
【図７】
0006430651.tif 000008
【図８】
0006430651.tif 000009
【図９】
0006430651.tif 000010
【図１０Ａ】
0006430651.tif 000011
【図１０Ｂ】
0006430651.tif 000012
【図１１Ａ】
0006430651.tif 000013
【図１１Ｂ】
0006430651.tif 000014
【図１２Ａ】
0006430651.tif 000015
【図１２Ｂ】
0006430651.tif 000016
【図１３】
0006430651.tif 000017
【図１４】
0006430651.tif 000018
【図１５】
0006430651.tif 000019
【図１６】
0006430651.tif 000020
【図１７】
0006430651.tif 000021
【図１８】
0006430651.tif 000022
【図１９】
0006430651.tif 000023
【図２０】
0006430651.tif 000024
【図２１】
0006430651.tif 000025
【図２２】
0006430651.tif 000026